(57)【特許請求の範囲】
【請求項１】
情報を表示する表示手段における複数の放送チャンネルの番組の表示を制御する表示制御装置であって、
前記複数の放送チャンネルの番組を含む信号を受信する受信手段と、
前記受信手段により受信された前記番組を前記表示手段に出力して表示させる出力手段と、
前記受信手段により受信された前記信号より、複数の前記番組の画面それぞれを縮小した縮小画面を所定数のマトリクス状に配列した仮想的な配列画像を記憶する記憶手段と、
前記記憶手段に記憶された前記所定数のマトリクス状に配列した仮想的な配列画像から、前記所定数より少ない数の所定の選択エリアの複数の縮小画面を選択して読み出し、その複数の縮小画面からなるマルチ画面を前記表示手段に表示させる読み出し手段と、
前記縮小画面を指示するためのカーソルを前記表示手段に表示させるカーソル表示制御手段と、
前記カーソルを、次の前記縮小画面に移動させるときに操作されるカーソル移動手段と
をさらに備え、
前記カーソルが前記マルチ画面の上下左右の端まで移動された状態で、前記カーソル移動手段による方向操作が行われた場合、
前記読み出し手段は、前記選択エリアを、前記方向操作に応じて移動させ、前記仮想的な配列画像から、新たに選択された前記選択エリアの複数の縮小画像を読み出して、その複数の縮小画像からなるマルチ画面を前記表示手段に表示させる
ことを特徴とする表示制御装置。
【請求項２】
前記表示手段をさらに備える
ことを特徴とする請求項１に記載の表示制御装置。
【請求項３】
前記表示手段に、前記マルチ画面が表示されている状態において、前記マルチ画面の中から前記カーソルにより指示された所定の番組を指定するときに操作される番組指定手段をさらに備え、
前記カーソルは、前記カーソル表示制御手段の制御により、前記表示手段に表示された前記マルチ画面を構成する複数の縮小画面それぞれを、所定の時間単位で指示しながら移動し、
前記記憶手段は、前記番組指定手段が操作されたときに、前記カーソルが指示している前記縮小画面に対応する番組のＥＰＧ（Electrical Program Guide）データを、さらに記憶する
ことを特徴とする請求項１に記載の表示制御装置。
【請求項４】
前記カーソル移動手段は、前記所定の時間が経過する前に、前記カーソルを次の前記縮小画面に移動させるときに操作される
ことを特徴とする請求項３に記載の表示制御装置。
【請求項５】
前記記憶手段は、前記番組指定手段が操作されることにより指定された前記縮小画面の静止画像を、さらに記憶する
ことを特徴とする請求項３に記載の表示制御装置。
【請求項６】
番組を前記受信手段に受信させるときに操作される受信指定手段をさらに備える
ことを特徴とする請求項１に記載の表示制御装置。
【請求項７】
情報を表示する表示手段における複数の放送チャンネルの番組の表示を制御する表示制御方法において、
前記複数の放送チャンネルの番組を含む信号を受信し、
受信された前記番組を前記表示手段に出力して表示させ、
受信された前記信号より、複数の前記番組の画面それぞれを縮小した縮小画面を所定数のマトリクス状に配列した仮想的な配列画像を記憶手段に記憶させ、
前記記憶手段に記憶された前記所定数のマトリクス状に配列した仮想的な配列画像から、前記所定数より少ない数の所定の選択エリアの複数の縮小画面を選択して読み出し、その複数の縮小画面からなるマルチ画面を前記表示手段に表示させ、
前記縮小画面を指示するためのカーソルを前記表示手段に表示させ、
前記カーソルが前記マルチ画面の上下左右の端まで移動された状態で、前記カーソルを移動させる方向操作が行われた場合、
前記選択エリアを、前記方向操作に応じて移動させ、前記仮想的な配列画像から、新たに選択された前記選択エリアの複数の縮小画像を読み出して、その複数の縮小画像からなるマルチ画面を前記表示手段に表示させる
ことを特徴とする表示制御方法。
【発明の詳細な説明】
【０００１】
【産業上の利用分野】
本発明は、表示制御装置および表示制御方法に関する。特に、複数の放送チャンネルの番組の中から、所望する番組を容易に見つけ出すことができるようにする表示制御装置および表示制御方法に関する。
【０００２】
【従来の技術】
近年、米国においてＭＰＥＧ（Moving Picture Experts Group）などの高能率符号化技術を応用して、ケーブルテレビジョン（ＣＡＴＶ：Cable Television）や、デジタル直接衛星放送（ＤＳＳ：Digital Satellite System（Hughes Communications社の商標））などにおいて、放送の多チャンネル化が進行している。
【０００３】
【発明が解決しようとする課題】
この多チャンネル化にともなって、例えば放送チャンネル数は１５０乃至２００にもなり、これらの中から所望の番組を見つけるのは容易ではない。すなわち、１つの放送チャンネルを選択し、実際に番組を確認して、それが希望するものでない場合には、他の放送チャンネルを選択するようにしたのでは、チャンネル数が少ない場合はともかく、上述のようにチャンネル数が多い場合には、視聴者に煩わしさを感じさせることとなる。
【０００４】
そこで、本件出願人は、例えば特願平６−２７９６１８号として、視聴者が、現在放送されている多くのチャンネルの番組の内容を、容易に認識することができ、さらにその中から、所望する番組を簡単かつ迅速に選択することのできる装置を提案している。
【０００５】
即ち、この装置においては、各チャンネルの番組の子画面が順次表示されるようになされており、視聴者は、その子画面を見ながら、所望する番組に、所定の印としてのブックマークを付すことができるようになされている。そして、ブックマークが付された番組は、所定のスイッチが操作されたとき、親画面に表示されるようになされている。
【０００６】
ところで、この装置では、複数の番組にブックマークを付した場合、所定のスイッチが操作されるごとに、ブックマークが付された番組が順次表示されるようになされている。従って、視聴を希望する多くの番組に、あらかじめブックマークを付しておき、後で、その中から視聴する番組を選択しようとする場合には、ブックマークを付した番組数が多くなると、その多くの番組の内容を確認するために、所定のスイッチを操作しなければならず、視聴者に煩わしさを感じさせる課題があった。
【０００７】
本発明は、このような状況に鑑みてなされたものであり、より容易に、番組の内容を確認し、その選択を行うことができるようにするものである。
【０００８】
【課題を解決するための手段】
本発明の表示制御装置は、複数の放送チャンネルの番組を含む信号を受信する受信手段と、受信手段により受信された番組を表示手段に出力して表示させる出力手段と、受信手段により受信された信号より、複数の番組の画面それぞれを縮小した縮小画面を所定数のマトリクス状に配列した仮想的な配列画像を記憶する記憶手段と、記憶手段に記憶された所定数のマトリクス状に配列した仮想的な配列画像から、所定数より少ない数の所定の選択エリアの複数の縮小画面を選択して読み出し、その複数の縮小画面からなるマルチ画面を表示手段に表示させる読み出し手段と、縮小画面を指示するためのカーソルを表示手段に表示させるカーソル表示制御手段と、カーソルを、次の縮小画面に移動させるときに操作されるカーソル移動手段とをさらに備え、カーソルがマルチ画面の上下左右の端まで移動された状態で、カーソル移動手段による方向操作が行われた場合、読み出し手段は、選択エリアを、方向操作に応じて移動させ、仮想的な配列画像から、新たに選択された選択エリアの複数の縮小画像を読み出して、その複数の縮小画像からなるマルチ画面を表示手段に表示させることを特徴とする。
【０００９】
本発明の表示制御方法は、複数の放送チャンネルの番組を含む信号を受信し、受信された番組を表示手段に出力して表示させ、受信された信号より、複数の番組の画面それぞれを縮小した縮小画面を所定数のマトリクス状に配列した仮想的な配列画像を記憶手段に記憶させ、記憶手段に記憶された所定数のマトリクス状に配列した仮想的な配列画像から、所定数より少ない数の所定の選択エリアの複数の縮小画面を選択して読み出し、その複数の縮小画面からなるマルチ画面を表示手段に表示させ、縮小画面を指示するためのカーソルを表示手段に表示させ、カーソルがマルチ画面の上下左右の端まで移動された状態で、カーソルを移動させる方向操作が行われた場合、選択エリアを、その方向操作に応じて移動させ、仮想的な配列画像から、新たに選択された選択エリアの複数の縮小画像を読み出して、その複数の縮小画像からなるマルチ画面を表示手段に表示させることを特徴とする。
【００１０】
【作用】
本発明の表示制御装置においては、受信手段は、複数の放送チャンネルの番組を含む信号を受信し、出力手段は、受信手段により受信された番組を表示手段に出力して表示させるようになされている。記憶手段は、受信手段により受信された信号より、複数の番組の画面それぞれを縮小した縮小画面を所定数のマトリクス状に配列した仮想的な配列画像を記憶するようになされている。そして、読み出し手段は、記憶手段に記憶された所定数のマトリクス状に配列した仮想的な配列画像から、所定数より少ない数の所定の選択エリアの複数の縮小画面を選択して読み出し、その複数の縮小画面からなるマルチ画面を表示手段に表示させ、縮小画面を指示するためのカーソルが表示手段に表示させ、カーソルを次の縮小画面に移動させるときにカーソル移動手段が操作され、カーソルがマルチ画面の上下左右の端まで移動された状態で、カーソル移動手段による方向操作が行われた場合、選択エリアを、方向操作に応じて移動させ、仮想的な配列画像から、新たに選択された選択エリアの複数の縮小画像を読み出して、その複数の縮小画像からなるマルチ画面を表示手段に表示させるようになされている。
【００１１】
本発明の表示制御方法は、複数の番組の画面それぞれを縮小した縮小画面を所定数のマトリクス状に配列した仮想的な配列画像を記憶手段に記憶させ、記憶手段に記憶された所定数のマトリクス状に配列した仮想的な配列画像から、所定数より少ない数の所定の選択エリアの複数の縮小画面を選択して読み出し、その複数の縮小画面からなるマルチ画面を表示手段に表示させ、縮小画面を指示するためのカーソルを表示手段に表示させ、カーソルがマルチ画面の上下左右の端まで移動された状態で、カーソルを移動させる方向操作が行われた場合、選択エリアを、その方向操作に応じて移動させ、仮想的な配列画像から、新たに選択された選択エリアの複数の縮小画像を読み出して、その複数の縮小画像からなるマルチ画面を表示手段に表示させるようになされている。
【００１２】
【実施例】
以下に、本発明の実施例を説明するが、その前に、特許請求の範囲に記載の発明の各手段と以下の実施例との対応関係を明らかにするために、各手段の後の括弧内に、対応する実施例（但し、一例）を付加して、本発明の特徴を記述すると、次のようになる。
【００１３】
即ち、請求項１に記載の表示制御装置は、情報を表示する表示手段（例えば、図３に示すモニタ装置４など）における複数の放送チャンネルの番組の表示を制御する表示制御装置であって、複数の放送チャンネルの番組を含む信号を受信する受信手段（例えば、図１０に示すフロントエンド２０など）と、受信手段により受信された番組を表示手段に出力して表示させる出力手段（例えば、図１０に示すＣＰＵ２９など）と、受信手段により受信された信号より、複数の番組の画面それぞれを縮小した縮小画面を所定数のマトリクス状に配列した仮想的な配列画像を記憶する記憶手段（例えば、図１０に示す仮想フレームメモリ４９など）と、記憶手段に記憶された所定数のマトリクス状に配列した仮想的な配列画像から、所定数より少ない数の所定の選択エリアの複数の縮小画面を選択して読み出し、その複数の縮小画面からなるマルチ画面を表示手段に表示させる読み出し手段（例えば、図１０に示すＣＰＵ２９など）と、縮小画面を指示するためのカーソルを表示手段に表示させるカーソル表示制御手段（例えば、図３９に示すプログラムの処理ステップＳ５１など）と、カーソルを、次の縮小画面に移動させるときに操作されるカーソル移動手段（例えば、図１２に示すジョイスティック４１０など）とを備え、カーソルがマルチ画面の上下左右の端まで移動された状態で、カーソル移動手段による方向操作が行われた場合、読み出し手段は、選択エリアを、方向操作に応じて移動させ、仮想的な配列画像から、新たに選択された選択エリアの複数の縮小画像を読み出して、その複数の縮小画像からなるマルチ画面を表示手段に表示させることを特徴とする。
【００１５】
請求項３に記載の表示制御装置は、表示手段に、マルチ画面が表示されている状態において、マルチ画面の中からカーソルにより指示された所定の番組を指定するときに操作される番組指定手段（例えば、図１２に示すメモリボタン４０３など）をさらに備え、カーソルは、カーソル表示制御手段の制御により、表示手段に表示されたマルチ画面を構成する複数の縮小画面それぞれを、所定の時間単位で指示しながら移動し、記憶手段は、番組指定手段が操作されたときに、カーソルが指示している縮小画面に対応するＥＰＧ（Electrical Program Guide）データを、さらに記憶することを特徴とする。
【００１６】
請求項６に記載の表示制御装置は、番組を受信手段に受信させるときに操作される受信指定手段（例えば、図１２に示すジョイスティック４１０など）をさらに備えることを特徴とする。
【００１７】
なお、勿論、この記載は、各手段を上記したものに限定することを意味するものではない。
【００１８】
図１は、本発明において用いられる用語を説明する図である。図１（Ａ）は、通常の画面（番組の画面）を表し、フルサイズ（例えば７２０×４８０画素など）でフレームレートが３０フレーム／秒（３０ｆｐｓ）のフルモーションで表示されるオリジナルの画像が表示される画面を意味する。
【００１９】
図１（Ｂ）は、マルチ画面（番組選択画面または縮小画面の配列）を表し、フレームサイズが通常の画面（図１（Ａ））の１／９サイズ（２４０×１６０画素）の縮小画面を、３×３のマトリクス状に配列した画像であって、それぞれの縮小画面は、フルモーション（３０ｆｐｓ）で表示される画像である。
【００２０】
図１（Ｃ）は、仮想画面を表し、Ｎｏ．１乃至Ｎｏ．６の６個のマルチ画面を、２×３のマトリクス状に配列した、仮想的な配列画像であって、仮想フレームメモリにフレームレート３０ｆｐｓを満たすタイミングで順次書き込まれる。それぞれの縮小画面は、フレームサイズが１／９サイズ（２４０×１６０画素）であって、フルモーション（３０ｆｐｓ）で表示されるように書き込まれる。
【００２１】
図１（Ｄ）は、選択エリア（読み出す領域）を表し、仮想フレームメモリに書き込まれた仮想画面の中から、カーソル移動操作に応じて読み出すべきマルチ画面を選択するためのエリアであり、カーソルの移動に伴って、上下左右に移動する。それぞれの縮小画面を番組カテゴリなどを単位として表示する場合は、仮想画面を構成する縮小画面の配列が、そのような番組のカテゴリ単位に並べ替えられる。
【００２２】
選択エリアで選択された画像が、モニタ装置に表示されると、マルチプレビュー画面（番組選択画面）となる。このマルチプレビュー画面は、仮想フレームメモリに書き込まれた仮想画面の中から、カーソル移動操作に応じて読み出されたマルチ画面をモニタ装置に表示したものであり、それぞれの縮小画面は、フレームサイズが１／９サイズ（２４０×１６０画素）であって、フルモーション（３０ｆｐｓ）で表示される。
【００２３】
次に、本明細書において記述されるアーカイブ化処理について、図２を参照して説明する。
【００２４】
すなわち、本発明においては、複数（本実施例においては、９個）の番組の画面が、それぞれ垂直方向と水平方向に１／３の画素数となるように、例えば間引き処理によって縮小（圧縮）され、面積として１／９に縮小された縮小画面が生成される。そして、この９個の縮小画面を、１画面を３×３個に分割したマルチ画面の各位置に配置することで、それぞれ１つの画面に対応する（１つの放送チャンネルに対応する）、例えばＮｏ．１乃至Ｎｏ．６の６つのマルチ画面が生成される。さらに、これらの６個のＮｏ．１乃至Ｎｏ．６のマルチ画面は、図２に示すように、例えばＭＰＥＧ方式によりそれぞれ圧縮され、マルチプレクサ（ＭＰＸ）２１１により、１つの伝送チャンネルで伝送できるように多重化される。本明細書においては、圧縮多重化処理をアーカイブ化処理として説明する。
【００２５】
マルチプレクサ２１１により、１つの伝送チャンネルのデータとして多重化されたデータは、衛星、ケーブルなどにより構成される伝送路を介して、受信側に伝送される。
【００２６】
受信側においては、デマルチプレクサ（ＤＭＰＸ）２４により伝送路を介して伝送されてきた１つの伝送チャンネルのデータを分離し、元の６放送チャンネル分のデータ（９個の縮小画面を有するＮｏ．１乃至Ｎｏ．６のマルチ画面のデータ）に分離される。
【００２７】
そして、分離されたＮｏ．１乃至Ｎｏ．６のマルチ画面のデータ（番組選択画面のデータ）は、ＭＰＥＧ方式で伸張（デコード）され、仮想フレームメモリ４９に大きな仮想画面を構成するように記憶される。
【００２８】
そして、仮想画面の任意の３×３個の縮小画面の領域が適宜選択され、出力、表示される。
【００２９】
図３は、本発明を適用した放送システムの一実施例の構成を示している。放送局では、例えばＤＳＳによる番組放送が行われるようになされている。すなわち、放送局では、１つあるいは複数の放送チャンネルの番組（アナログ信号の画像および音声）が制作され、ディジタル化部５１に供給される。このディジタル化部５１には、他の放送局の番組も供給される。ディジタル化部５１では、番組を構成する画像および音声がディジタル化され、アーカイブ化部５２に出力される。
【００３０】
アーカイブ化部５２には、ディジタル化部５１から番組が供給される他、他の放送局からも、１つあるいは複数の放送チャンネルのディジタル化された番組（ディジタル化された画像および音声）が供給されるようになされている。アーカイブ化部５２では、そこに入力された複数チャンネルの番組それぞれの内容を表す、各チャンネルごとの番組選択用のデータ（番組選択画面のデータ）が生成される。すなわち、アーカイブ化部５２では、例えば、そこに入力された複数チャンネルの番組の画面（画像）を縮小し、９個の縮小画面によってマルチ画面の画像とする。そして、例えば９個の放送チャンネルの番組が、１つの放送チャンネルのマルチ画面とされる。
【００３１】
このように、通常放送される番組を、そのまま用いて、番組選択用のデータ（縮小画面）が作成されるので、通常放送される番組とは別（独立）に、番組選択用の番組を作成する手間を省くことができる。
【００３２】
なお、ここでは、アーカイブ化部５２において、各チャンネルの番組の画面の縦および横が、例えば１／３に縮小されたもの（従って、面積で考えれば、各放送チャンネルの番組の画面の１／９の画面）が生成されるものとする。従って、この場合、視聴者側においては、１画面に９個の放送チャンネルの番組の縮小画面を、同時に表示することができる。
【００３３】
また、アーカイブ化部５２では、そのマルチ画面を構成する各縮小画面に対応する番組（ディジタル化部５１および他の放送局から供給される番組）の音声も、縮小画面とともに伝送される。
【００３４】
アーカイブ化部５２では、さらにこれらのデータをＭＰＥＧ方式で圧縮する。
【００３５】
アーカイブ化部５２では、このようなマルチ画面（番組選択画面）が複数（例えば６個）生成される（すなわち、合計５４個（＝６×９）の番組の縮小画面が生成される）。そして、６個のマルチ画面のデータは、１つの伝送チャンネルのデータとしてまとめられる（結合（アーカイブ化）される）。ここで、アーカイブ化部５２より出力される、複数の放送チャンネルの番組を１つの伝送チャンネルのデータにまとめた複数の番組選択画面のデータを、以下、適宜、アーカイブデータ（「アーカイブ」とは、いわゆるコンピュータ用語で、複数のデータを１つにまとめることを意味する）という。
【００３６】
ビデオサーバ５３には、アーカイブ化部５２よりアーカイブデータが供給される他、ディジタル化部５１より、ディジタル化され、さらにＭＰＥＧ方式で圧縮された複数の放送チャンネルの番組が供給される（なお、その詳細については、図６を参照して後述する）。
【００３７】
ビデオサーバ５３では、そこに入力されたデータが、一旦記憶され、送信部５４に供給される。
【００３８】
送信部５４では、ビデオサーバ５３からのデータに対し、誤り訂正処理、変調（例えば、ＱＰＳＫ変調など）処理、およびその他の必要な処理（例えば、暗号化処理や、多重化処理、アップコンバートなど）が施される。そして、その処理の結果得られた信号が、パラボラアンテナ５５を介して衛星（ＢＳ（放送衛星）またはＣＳ（通信衛星））６１に伝送され、衛星６１から視聴者側に送信される。すなわち、送信部５４では、複数の放送チャンネルの番組とともに、番組選択画面のアーカイブデータが、衛星６１を介して、視聴者側に送信される。従って、各番組の画面をフルサイズの画面と考えると、放送局からは、これらのフルサイズの画面およびその画面を縮小した縮小画面が同時に送信される。
【００３９】
なお、複数の放送チャンネルの番組およびアーカイブデータは、衛星６１を介して、視聴者側に送信する他、例えばケーブルなどの有線の伝送路や、地上波、その他の配信方法によって、ビデオサーバ５３から視聴者側に送信することが可能である。さらに、複数チャンネルの番組およびアーカイブデータは、１種類の伝送路ではなく、複数種類の伝送路によって、視聴者側に送信すること（例えば、複数の放送チャンネルの番組は、衛星６１経由で送信し、アーカイブデータは、ケーブルを介して送信することなど）も可能である。
【００４０】
また、複数の放送チャンネルの番組（通常の番組データ）は、ディジタル化部５１でディジタル化したものを送信するようにしたが、この他、複数の放送チャンネルの番組は、そのままアナログ信号の状態（アナログ番組）で、送信部５４に供給し、ビデオサーバ５３からのアーカイブデータとともに送信することも可能である。
【００４１】
視聴者側では、放送局から衛星６１を介して送信されてくるデータ（複数の放送チャンネルの番組およびアーカイブデータ）がパラボラアンテナ３で受信され、受信機（セットトップボックス）２に供給される。
【００４２】
受信機２では、パラボラアンテナ３からのデータに対し、必要な処理が施され、画像は、例えばテレビジョン受像機などでなるモニタ装置４に供給されて表示され、音声は、図示せぬスピーカに供給されて出力される。すなわち、受信機２において、特定の放送チャンネルが選択されている場合には、モニタ装置４には、その放送チャンネルの番組が表示される。また、受信機２において、アーカイブデータが選択されている場合には、モニタ装置４には、複数の縮小画面のうちの、所定数の放送チャンネル（上述したように、本実施例では、９チャンネル）の番組のものが、同時に表示される。従って、この場合、視聴者は、この番組選択画面を見ることにより、いま放送されている複数の放送チャンネルの番組それぞれの内容を認識することができる（その詳細については後述する）。ここで、この番組選択用画面を、以下、適宜、プレビューまたはプレビュー画面という。
【００４３】
なお、データが、放送局から、ケーブルなどを介して送信されてきた場合には、そのデータは、受信機２において、直接受信される。さらに、データが、放送局から、地上波などによって送信されてきた場合には、そのデータは、図示せぬ地上波用のアンテナで受信され、受信機２に供給される。また、図３においては、２台の受信機２を図示してあるが、受信機２は、１台でも、衛星６１を介して送信されたデータ、およびその他ケーブルや地上波などを介して送信されたデータの両方の受信が可能である。
【００４４】
図４は、アーカイブ化部５２において、アーカイブデータが生成される様子を示している。同図に示すように、アーカイブ化部５２では、９個の放送チャンネルの番組の画面（画像）を縮小して１つのマルチ画面が生成される。この１つのマルチ画面のデータは、視聴者側において、１つの放送チャンネルのデータ、あるいは番組選択のための独立したデータとして扱うことができる。そして、アーカイブ化部５２では、このようなマルチ画面が、例えば６個生成され、それらが１つの伝送チャンネルのデータ（アーカイブデータ）５２としてまとまられる（結合される）。
【００４５】
なお、図４に示す番組データには、上述したように、縮小画面データの他、各放送チャンネルの番組の音声も含められる。
【００４６】
また、アーカイブ化部５２には、複数の放送チャンネルの番組の縮小画面を、そのままアーカイブデータにさせて、ビデオサーバ５３に出力させる他、例えば番組のカテゴリ（ジャンル）ごとに分けて配列させるなどの所定の配列状態に配列させた後、アーカイブデータにさせて、ビデオサーバ５３に出力させることができる。
【００４７】
すなわち、例えば図５に示すように、縦方向には、番組のカテゴリが異なる縮小画面を配置（配列）し、横方向に、番組のカテゴリが同一の縮小画面を配置するようにすることができる。具体的には、例えば第１行目にはニュース番組の縮小画面を配置し、第２行目には映画番組の縮小画面を配置し、第３行目には音楽番組の縮小画面を配置するようにする。そして、この場合、横方向には、同一カテゴリの番組の縮小画面を、例えば番組の放送チャンネルの昇順や、番組タイトルのアルファベット順などに配置するようにする。
【００４８】
カテゴリの数が４個以上存在するとき、および、所定のカテゴリの番組が４個以上存在するとき、それらは他の番組選択画面に配置される。そして、複数（６個）の番組選択画面により１つの仮想フレームが構成されるようにする（この点については後述する）。
【００４９】
視聴者側で、縮小画面を、上述のように配置したマルチプレビュー画面を表示するようにすることにより、視聴者は、マルチプレビュー画面を、所望する番組のカテゴリの行を横方向に見ていくことで、容易に、所望する番組を見つけることができる。
【００５０】
さらに、この場合、図５に示したようなマルチプレビュー画面を構成する縮小画面上の所定の１つにカーソルを表示するようにし、そのカーソルを移動することにより、視聴者は、所望する番組を、容易に見つけ、その選局をすることができる。
【００５１】
次に、図６を参照して、番組選択画面の生成について、さらに詳しく説明する。ディジタル化部５１は、入力されたアナログのビデオ信号およびオーディオ信号をＡ／Ｄ変換器２３１でＡ／Ｄ変換した後、番組送出用ＭＰＥＧビデオ／オーディオエンコーダ／マルチプレクサシステム２３２に出力するとともに、そのうちの５４チャンネル分のディジタルビデオ信号をアーカイブ化部５２のマルチ画面生成回路２０１−１乃至２０１−６に供給する。ビデオ信号およびオーディオ信号がディジタル信号として供給された場合には、それらのディジタル信号は、そのまま番組送出用ＭＰＥＧビデオ／オーディオエンコーダ／マルチプレクサシステム２３２とマルチ画面生成回路２０１−１乃至２０１−６に供給される。
【００５２】
マルチ画面生成回路２０１−１は、９個のＲＡＭ２０２−１−１乃至２０１−１−９を内蔵しており、入力された９個の番組の画面のデータがここに記憶される。そして、９個の画面のデータは、垂直方向および水平方向に１／３に縮小され、これにより９個の縮小画面が生成される。そして、その９個の縮小画面は、１つの画面を３×３個の９個に分割したマルチ画面にそれぞれ配置される。
【００５３】
例えば、１つの画面（１フレーム）が７２０×４８０画素で構成されている場合、この数が水平方向および垂直方向に１／３に縮小されて、即ち画素が間引かれて２４０×１６０画素の縮小画面の画像とされる。そして、これらの縮小画面の画像を水平方向と垂直方向に３×３個配置することで、９個の縮小画面を有する１つのマルチ画面が生成される。このマルチ画面は、１フレームが７２０×４８０画素で構成されることになる。
【００５４】
同様の処理が、他の５個のマルチ画面生成回路２０１−２乃至２０１−６においても行われる。その結果、それぞれ９個の縮小画面を有するマルチ画面（番組選択画面）が６個生成されることになる。
【００５５】
このようにして、マルチ画面生成回路２０１−１乃至２０１−６により生成された６個のマルチ画面のデータは、それぞれ対応するＭＰＥＧビデオエンコーダ２０３−１乃至２０３−６に供給され、ＭＰＥＧ方式で圧縮される。これにより、６個（６放送チャンネル分）のアーカイブデータが得られたことになる。
【００５６】
また、アーカイブ化部５２のＥＰＧ（Ｅｌｅｃｔｒｉｃａｌ  ＰｒｏｇｒａｍＧｕｉｄｅ）データ生成装置２０４は、番組送出用ＭＰＥＧビデオ／オーディオエンコーダ／マルチプレクサシステム２３２から、マルチ画面生成回路２０１−１乃至２０１−６に供給された５４放送チャンネル分の番組の放送開始時刻、放送チャンネル番号（チャンネルＩＤ）、カテゴリ、番組名（番組ＩＤ）、マルチ画面上の位置、縮小画面の画素数（例えば２４０×１６０個）などの電子番組ガイドデータ（ＥＰＧデータ）を生成する。
【００５７】
ビデオサーバ５３は、必要に応じて、アーカイブ化部５２のＭＰＥＧビデオエンコーダ２０３−１乃至２０３−６より供給されたビデオデータおよびＥＰＧデータ生成装置２０４より供給されたＥＰＧデータを内蔵するメモリに記憶させた後、これを読み出し、マルチプレクサ２１１で、１つの伝送チャンネル（１つのトランスポンダに対応するチャンネル）で伝送できるように各データをパケット化し、多重化する（アーカイブ化する）。このとき、ビデオサーバ５３には、番組送出用ＭＰＥＧビデオ／オーディオエンコーダ／マルチプレクサシステム２３２から、アーカイブ化された５４個の番組のオーディオデータも入力され、これらのオーディオデータもパケット化され、同一の伝送チャンネルで、伝送できるように多重化される。
【００５８】
このようにして、それぞれ９個の縮小画面を有する６個のマルチ画面（この６個のマルチ画面は、１つの仮想フレームを構成する）を含むアーカイブデータは、１つの伝送チャンネルの信号として、送信部５４の伝送路符号化装置２２１−１に供給される。
【００５９】
伝送路符号化装置２２１−１の誤り訂正符号化回路２２２−１は、マルチプレクサ２１１より入力されたデータに誤り訂正符号化処理を施した後、ＱＰＳＫ変調回路２２３−１に出力する。ＱＰＳＫ変調回路２２３−１は、入力されたデータをＱＰＳＫ変調し、アップコンバータ２２４−１に出力する。アップコンバータ２２４−１は、入力されたデータを、所定の周波数帯域の信号（衛星の１つのトランスポンダに対応する信号）に変換し、混合器２２５に出力する。
【００６０】
このように、番組選択画面の伝送チャンネルは、専用の伝送チャンネルとされている。
【００６１】
一方、少なくとも５４個の番組（フルサイズの画面としての番組）のビデオデータとオーディオデータは、それぞれ番組送出用ＭＰＥＧビデオ／オーディオエンコーダ／マルチプレクサシステム２３２において、ＭＰＥＧ方式で圧縮され、さらに、例えば６個の放送チャンネルの番組が１つの伝送チャンネルで伝送されるようにパケット化され、多重化される。但し、その多重化される放送番組（放送チャンネル）の数は、その画像の複雑さにより変化する。
【００６２】
そして、１つの伝送チャンネルのデータが伝送路符号化装置２２１−２に入力され、伝送路符号化装置２２１−１における場合と同様に、誤り訂正符号化処理とＱＰＳＫ変調処理が施される。そして、伝送路符号化装置２２１−２より出力されたデータが、アップコンバータ２２４−２により衛星の他のトランスポンダに対応する所定の周波数帯域の信号に変換された後、混合器２２５に入力される。
【００６３】
以下、他の伝送路符号化装置２２１−３、アップコンバータ２２４−３（図示せず）乃至伝送路符号化装置２２１−ｎおよびアップコンバータ２２４−ｎにより、同様の処理が施されたデータが混合器２２５に入力される。
【００６４】
混合器２２５は、アップコンバータ２２４−１乃至２２４−ｎより入力されたデータを混合し、パラボラアンテナ５５を介して衛星６１に伝送する。
【００６５】
ところで、視聴者側において、マルチプレビュー画面として、複数の縮小画面とともに、放送チャンネルの番号を表示するようにし、視聴者に、所望する番組の放送チャンネルの番号を入力することで選択させるようにすることも可能である。しかしながら、その場合には、例えば視聴者が放送チャンネルを見間違えたり、放送チャンネルに対応する数字の入力操作を誤ったりすることが考えられる。そこで、図５のようなプレビューが表示された状態からは、所望する番組に対応する縮小画面を直接選択することで、その番組の画面を表示させるようにすることが好ましい。
【００６６】
そこで、アーカイブ化部５２では、縮小画面と、その縮小画面に対応する番組との間にリンクを張っておくようにする。具体的には、例えば縮小画面のデータに、その縮小画面に対応する番組の放送チャンネルの番号を付加しておき、これをＥＰＧデータとして伝送する。このようにすることにより、例えば図７に示すように、プレビューを構成する縮小画面を選択することで、その縮小画面との間にリンクが張られている番組、すなわち選択された縮小画面に対応するフルサイズの画面（番組）が表示されるようにすることができる。なお、図７においては、プレビューを構成する９個の縮小画面のうちの、画面中央に配置されているものが選択され、これによりその縮小画面に対応する番組ＰＲＯＧ２が、プレビューに代えて表示された様子を示している。
【００６７】
次に、図８は、視聴者側の受信機２の概略構成例を示している。受信機２は、受信部２ａ、処理装置２ｂ、および記憶装置２ｃで構成されている。受信部２ａでは、例えばパラボラアンテナ３（図３）から供給される信号が受信され、復調処理、誤り訂正処理、その他の必要な処理が行われ、処理装置２ｂに出力される。処理装置２ｂは、ＣＰＵなどでなり、所定のチャンネルの信号を出力するように、受信部２ａを制御する。そして、処理装置２ｂは、受信部２ａから供給された信号をデコードした後、その信号が、通常の番組データである場合には、それをモニタ装置４に供給して表示させる（なお、音声は、図示せぬスピーカから出力される）。
【００６８】
また、処理装置２ｂは、受信部２ａから供給された信号が、アーカイブデータである場合には、そのアーカイブデータをデコードし、その結果得られる縮小画面のデータを、例えばＲＡＭ、磁気ディスク、光磁気ディスクなどでなる記憶装置２ｃの仮想フレームメモリに記憶させる。
【００６９】
なお、アーカイブデータに、音声が含まれる場合には、その音声も、記憶装置２ｃに供給されて記憶される。
【００７０】
そして、リモートコマンダ５が操作されることにより、縮小画面を表示することが指示された場合には、処理装置２ｂは、仮想フレームメモリに記憶されている縮小画面のうち、モニタ装置４の１画面に表示可能な数の縮小画面（本実施例においては、上述したように９個の縮小画面）を読み出して、モニタ装置４に供給して表示させる。
【００７１】
仮想フレームメモリから読み出されてモニタ装置４に表示される縮小画面は、リモートコマンダ５を操作することにより変更することができるようになされており、従って、１度に画面表示することのできない数の縮小画面が送信されてきても、視聴者は、リモートコマンダ５を操作することで、すべての縮小画面を見ることができる。また、仮想フレームメモリには、受信された縮小画面が順次更新されて記憶されるが、例えば仮想フレームメモリに記憶された縮小画面を所定の期間保持しておくことで、過去に受信した番組の縮小画面を見ることが可能となる。
【００７２】
モニタ装置４に表示された縮小画面は、リモートコマンダ５を操作し、カーソルを移動、確定することで選択することができるようになされており、視聴者の所望する番組に対応する縮小画面が選択されると、処理装置２ｂは、その縮小画面に対応する番組（その縮小画面とリンクが張られている番組）を、受信部２ａに出力するように指示し、その結果得られる通常の番組データを、モニタ装置４に供給して表示させる。
【００７３】
図９は、視聴者側の装置の接続関係を示している。受信機２は、図１０を参照して後述するように、モデムユニット６３１を備え、そこに電話機（親機）６００が接続されているとともに、コードレス電話機（子機）としての機能をも備えるリモコン５との間で、例えばＲＦ信号を介して信号を授受することができるようになされている。
【００７４】
図１０は、前述したＤＳＳを受信するための受信機２の内部の構成例を示している。なお、図１０におけるフロントエンド２０、デマルチプレクサ２４、およびマルチチャンネルリアルタイムデコーダ２５、または仮想フレームメモリ４９は、それぞれ図８に示した受信部２ａまたは記憶装置２ｃに対応するものである。また、図１０におけるその他のブロックは、図８に示した処理装置２ｂに相当する。
【００７５】
パラボラアンテナ３は、ＬＮＢ（Low Noise Block downconverter）３ａを有し、衛星６１からの信号を受信して、中間周波数の信号（ＩＦ信号）に変換する。パラボラアンテナ３のＬＮＢ３ａより出力されたＩＦ信号は、フロントエンド２０のチューナ２１に供給され、復調される。チューナ２１の出力は、ＱＰＳＫ復調回路２２に供給され、ＱＰＳＫ復調される。ＱＰＳＫ復調回路２２の出力は、エラー訂正回路２３に供給され、エラーが検出、訂正される。
【００７６】
例えばＣＰＵ，ＲＯＭおよびＲＡＭ等からなるＩＣカードにより構成されているＣＡＭ（Conditional Access Module）３３には、暗号を解読するのに必要な キーが、解読プログラムとともに格納されている。放送局が、データに対して暗号化処理を施して送信する場合、この暗号を解読するにはキーと解読処理が必要となる。そこで、カードリーダインタフェース３２を介してＣＡＭ３３からこのキーが読み出され、デマルチプレクサ２４に供給される。デマルチプレクサ２４は、このキーを利用して、暗号化された信号を解読する。
【００７７】
なお、このＣＡＭ３３には、暗号解読に必要なキーと解読プログラムの他、課金情報なども格納されている。
【００７８】
デマルチプレクサ２４は、フロントエンド２０のエラー訂正回路２３の出力する信号の入力を受け、これを、データバッファメモリ（ＳＲＡＭ：Static Random Access Memory）３５に一旦記憶させる。そして、適宜これを読み出して、上 述したように解読を行う。そして、デマルチプレクサ２４は、解読の結果得られる画像データまたは音声データを、それぞれマルチチャンネルリアルタイムデコーダ２５またはＭＰＥＧオーディオデコーダ２６に供給する。
【００７９】
マルチチャンネルリアルタイムデコーダ２５は、図２３を参照して後述するように、６放送チャンネル分の番組の画面データをデコードできるように、ＭＰＥＧビデオデコーダ２５−１乃至２５−６と、ＤＲＡＭ２５ａ−１乃至２５ａ−６を内蔵しており、入力された画像データ（ディジタル画像データ）をＤＲＡＭ２５ａに適宜記憶させ、ＭＰＥＧ方式により圧縮されているビデオ信号のデコード処理を実行する。デコードの結果得られたビデオデータは、それが通常の番組のものである場合、ＮＴＳＣエンコーダ２７に供給され、ＮＴＳＣ方式の輝度信号（Ｙ）、クロマ信号（Ｃ）、およびコンポジット信号（Ｖ）に変換される。輝度信号とクロマ信号は、バッファアンプ２８Ｙ，２８Ｃを介して、それぞれＳビデオ信号として出力される。また、コンポジット信号は、バッファアンプ２８Ｖを介して出力される。
【００８０】
また、番組選択画面のデータは、仮想フレームメモリ４９に供給され、記憶される。そして、所定の９個の縮小画面が必要に応じて読み出され、ＮＴＳＣエンコーダ２７に供給されるようになされている。
【００８１】
なお、図２３のＭＰＥＧビデオデコーダ２５−ｉとしては、SGS-Thomson Microelectronics社のＭＰＥＧ２復号化ＬＳＩ（ＳＴｉ３５００）を用いることができる。その概略は、例えば、日経ＰＢ社「日経エレクトロニクス」１９９４．３．１４（ｎｏ．６０３）第１０１頁乃至１１０頁に、Martin Bolton氏により紹介されて いる。
【００８２】
また、ＭＰＥＧ２のトランスポートストリーム（MPEG2-Transportstream）に 関しては、アスキー株式会社１９９４年８月１日発行の「最新ＭＰＥＧ教科書」第２３１頁乃至２５３頁に説明がなされている。
【００８３】
ＭＰＥＧオーディオデコーダ２６は、デマルチプレクサ２４より供給されたデジタルオーディオ信号をＤＲＡＭ２６ａに適宜記憶させ、ＭＰＥＧ方式により圧縮されているオーディオ信号のデコード処理を実行する。デコードされたオーディオ信号は、Ｄ／Ａ変換器３０においてＤ／Ａ変換され、左チャンネルのオーディオ信号は、バッファアンプ３１Ｌを介して出力され、右チャンネルのオーディオ信号は、バッファアンプ３１Ｒを介して出力される。
【００８４】
ＲＦモジュレータ４１は、ＮＴＳＣエンコーダ２７が出力するコンポジット信号と、Ｄ／Ａ変換器３０が出力するオーディオ信号とをＲＦ信号に変換して出力する。また、このＲＦモジュレータ４１は、地上波によるテレビジョン放送信号を受信するＴＶモードが設定されたとき、ケーブルボックス等のＡＶ機器（図示せず）から入力されるＮＴＳＣ方式のＲＦ信号をスルーして、ＶＣＲ（ＶＴＲ）や他のＡＶ機器（いずれも図示せず）にそのまま出力する。
【００８５】
本実施例では、これらのビデオ信号およびオーディオ信号が、モニタ装置４に供給される。
【００８６】
ＣＰＵ（Central Processor Unit）２９は、ＲＯＭ３７に記憶されているプログラムに従って各種の処理を実行する。例えば、チューナ２１，ＱＰＳＫ復調回路２２、エラー訂正回路２３などを制御する。また、ＡＶ機器制御信号送受信部２Ａを制御し、コントロールライン１２を介して、他のＡＶ機器（この実施例の場合、モニタ装置４）に所定のコントロール信号を出力し、また、他のＡＶ機器からのコントロール信号を受信する。
【００８７】
このＣＰＵ２９に対しては、受信機２のフロントパネル４０に設けられた操作ボタン／スイッチ（図示せず）を操作して、所定の指令を直接入力することができる他、リモコン５を操作することによっても、所定の指令を入力することができる。
【００８８】
すなわち、リモコン５を操作すると、その内蔵するアンテナ６８１（図示せず）よりＲＦ信号が出射され、このＲＦ信号がベースユニット（電話機親機）６００により受信されるようになされている。そしてベースユニット６００の出力は、モジュラジャック６０１と６３６を介してモデムユニット６３１に供給されるようになさている。
【００８９】
ＣＰＵ２９と接続されているモデムユニット６３１は、ＤＴＭＦデコーダ６３３を内蔵するモデム６３２を有している。このモデム６３２はモジュラジャック６３５を介して電話回線に接続されているとともに、外接電話オフフック検出回路６３４を介してモジュラジャック６３６に接続されている。
【００９０】
また、デマルチプレクサ２４は、フロントエンド２０から供給される信号がＥＰＧデータである場合には、そのＥＰＧデータを、データバッファメモリ３５に供給して一旦記憶させる。データバッファメモリ３５に記憶されたＥＰＧデータは、任意のタイミング（例えば、ＣＰＵ２９の空き時間など）で、ＳＲＡＭ３６に転送されて記憶される。
【００９１】
ＥＥＰＲＯＭ（Electrically Erasable Programable Read Only Memory）３８には、電源オフ後も保持しておきたいデータ（例えば、チューナ２１の４週間分の受信履歴、電源オフの直前に受信していたチャンネル番号（ラストチャンネル））などが適宜記憶される。そして、例えば、電源がオンされたとき、ラストチャンネルと同一のチャンネルを再び受信させる。ラストチャンネルが記憶されていない場合においては、ＲＯＭ３７に、あらかじめデフォルトとして記憶されているチャンネルが受信される。また、ＣＰＵ２９は、スリープモードが設定されている場合、電源オフ時であっても、フロントエンド２０、デマルチプレクサ２４、データバッファメモリ３５など、最低限の回路を動作状態とし、受信信号に含まれる時刻情報から現在時刻を計時し、所定の時刻に各回路に所定の動作（いわゆるタイマ録画など）をさせる制御なども実行する。例えば、外部のＶＣＲと連動して、予約されたタイマ自動録画を実行する。
【００９２】
さらに、ＣＰＵ２９は、所定のＯＳＤ（On-Screen Display）データを発生し たいとき、ＭＰＥＧビデオデコーダ２５−ｉを制御する。ＭＰＥＧビデオデコーダ２５−ｉは、この制御に対応して所定のＯＳＤデータを生成して、ＤＲＡＭ２５ａ−ｉのＯＳＤエリアに書き込み、さらに読み出して、出力する。これにより、所定の文字、図形など（例えば、カーソルや、いま受信機２から出力している番組の放送チャンネル、音量に応じて長さの変化するバーなど）を、適宜モニタ装置４に出力し、表示させることができる。
【００９３】
図１１は、ベースユニット６００の構成例を表している。モジュラージャック６０１は回線インタフェース（Ｉ／Ｆ）６５１に接続されている。この回線インタフェース６５１にはまた、ＤＴＭＦエンコーダ６５２が接続されており、ＤＴＭＦエンコーダ６５２は入力されたコマンドをＤＴＭＦ信号にエンコードして出力する。
【００９４】
回線インタフェース６５１は子機としても機能するリモコン５に伝送すべき信号を送信回路（ＴＸ）６５３に出力する。送信回路６５３は送信信号をデジタル化し、変調して、ＲＦ信号としてアンテナ６５５より出力する。受信回路（ＲＸ）６５４はアンテナ６５５を介してリモコン５より伝送されてきたＲＦ信号を受信、復調し、音声信号を回線インタフェース６５１に出力し、コマンドをマイクロコンピュータ６５６に出力する。
【００９５】
ＣＰＵ，ＲＯＭ，ＲＡＭなどを内蔵するマイクロコンピュータ６５６はキー６５７からの入力に対応して前記送信回路６５３と受信回路６５４を制御する。また、表示部６５８に所定の文字、記号などを表示する。
【００９６】
なお、図１１においては、説明の便宜上、ベースユニット（親機）６００が備えるマイクロホンとスピーカの図示を省略してある。
【００９７】
次に、リモコン５について説明する。図１２は、リモコン５の正面図であり、図１３は、リモコン５の、図１２に示すＸ−Ｙ断面図である。このリモコン５は、ペンギンを模して形作られており、基本的に、本体４０５と、この本体４０５に回動可能に取り付けられるマイク部７０３Ａ（後述する）とから構成されている。
【００９８】
本体４０５は、その上部に形成され、通話相手の音声を出力するスピーカ７０２と、チャンネルキー、電話番号等の所定の表示（図においては、キー群７０１が表示されている）を行う表示装置４０１と、表示装置４０１に表示される電話番号に電話をかける場合等に操作されるコールボタン４０２と、電話番号等の情報を記憶させる場合その他に操作されるメモリボタン４０３と、動作モードを後述するプレビューモードとする場合に操作されるプレビューボタン４０４と、モニタ装置４に表示されるカーソルを移動する場合等に操作されるジョイスティック４１０とを有している。また、リモコン５はその内部に、アンテナ６８１（図２２）を具備しており、ベースユニット６００（受信機２）との間で、電波の授受を行っている。
【００９９】
リモコン５にはまた、それが机等に置かれた場合、マイク部７０３Ａとともに本体４０５を支える脚部４０５Ａが、本体４０５の背面下部に形成され、マイク部７０３Ａの図１３において反時計方向への回動を制限するストッパ部４４１が、本体４０５の正面下部に形成されている。さらに、マイク部７０３Ａの回転軸としての円柱形状の軸部４４１Ａが、ストッパ部４４１の先端に形成されている。また、このリモコン５の電源スイッチとしての接触部４５２（後述する）がストッパ部４４１の下面に配置されている。
【０１００】
図１４は、図１２及び図１３に示すマイク部７０３Ａの構成を示しており、図１４（Ａ）は、マイク部７０３Ａの平面図であり、図１４（Ｂ）は、マイク部７０３ＡのＡ−Ｂ断面図であり、図１４（Ｃ）はマイク部７０３Ａの背面図である。使用者の音声を集音するマイクロホン７０３が、マイク部７０３Ａの先端（図中、左端）の中央に形成され、その反対側の端面（図中、右端の端面）の中央部が円柱状にくり貫かれ、本体４０５に形成される軸部４４１Ａが、くり貫かれた部分に嵌合されるようになされている。従って、マイク部７０３Ａは、軸部４４１Ａを軸として回動可能となっている。
【０１０１】
また、マイク部７０３Ａの図１３において時計方向と反時計方向への回動を制限するように、角部４６０及び４６１が形成されており、角部４６０または４６１が本体４０５に形成されるストッパ部４４１の下面または上面に、それぞれ接触することによってマイク部７０３Ａの回動が制限される。また、図１３に示すバネ４４０がマイク部７０３Ａを図１３において反時計方向へ付勢しているので、リモコン５が台上に置かれていない場合（リモコン５が持ち上げられている場合）、マイク部７０３Ａは、図１３の点線で示す位置に配置される。
【０１０２】
リモコン５の電源スイッチとしての接触部４５１が、角部４６０上の所定の位置（ストッパ部４４１に配置される接触部４５２に対応する位置）（図１４（Ｃ）に示すように、この実施例の場合、中央の位置）に配置されており、マイク部７０３Ａが、図１３の点線で示す位置に配置されるとき（すなわち、リモコン５が持ち上げられたとき）、上述したストッパ部４４１の下部に配置される接触部４５２と接触し、リモコン５の電源がオンされる。一方、図１３の実線で示す位置に配置されるとき（すなわち、リモコン５が台上に載置されたとき）、接触部４５１と接触部４５２との接触が解除され、リモコン５の電源がオフされる。
【０１０３】
図１５は、リモコン５が台上に置かれた場合（すなわち、未使用時）の斜視図である。この場合、マイク部７０３Ａが、バネ４４０の付勢力に抗して、軸部４４１Ａを軸に、図中、反時計方向に回動し、角部４６１がストッパ部４４１の上面に当接している。従って、リモコン５は、マイク部７０３Ａと脚部４０５Ａによって支持され、自立する。このとき、ストッパ部４４１の下面に配置される接触部４５２と、角部４６０に配置される接触部４５１とが接触しないので、リモコン５の電源はオフされている。
【０１０４】
図１６は、リモコン５が使用者によって持ち上げられた場合（すなわち、使用時）の斜視図である。この場合、リモコン５が台上に置かれていないので、マイク部７０３Ａは、バネ４４０に付勢され、図中、時計方向に回動し、角部４６０がストッパ部４４１の下面に当接する。このとき、ストッパ部４４１の下面に配置される接触部４５２と、角部４６０に配置される接触部４５１とが接触するので、リモコン５の電源はオンされる。
【０１０５】
また、図１３に示すように、表示装置４０１は、情報を表示するＬＣＤ（Liquid Cristal Display）よりなる表示部４３０と、表示部４３０の上部を覆う、透明なタブレット４３１によって構成されている。さらに、図１２に示すキー群７０１が表示部４３０に表示された場合に、使用者が各キーを押し易いように、タブレット４３１の各キーの表示位置に対応する部分が突出して形成されている。
【０１０６】
キー群７０１は、図１２の実施例の場合、数字０乃至９が表示されているキー、＊、および＃マークが表示されているキーの他、ＴＥＬの文字が表示されたキーから構成されている。
【０１０７】
また、数字２のキーには文字ＡＢＣが、数字３のキーには文字ＤＥＦが、数字４のキーには文字ＧＨＩが、数字５のキーには文字ＪＫＬが、数字６のキーには文字ＭＮが、数字７のキーには文字ＰＲＳが、数字８のキーには文字ＴＵＶが、数字９のキーには文字ＷＸＹが、数字０のキーには文字ＱＺが、それぞれ表示されている。
【０１０８】
さらに、数字４のキーには再生点を巻き戻すことをシンボライズした巻戻しのマークが、数字５のキーには再生をポーズすることをシンボライズしたポーズのマークが、そして数字６のキーには再生点を早送りすることをシンボライズした早送りのマークが、それぞれ表示されている。
【０１０９】
また、数字０のキーには、所定の機能をシンボランズしたマークが表示されている。
【０１１０】
さらに、カーソルの移動をシンボライズした記号として、数字キー２の近傍には上方向を指向する矢印が、数字キー８の近傍には下方向の矢印が、数字キー４の近傍には左方向の矢印が、また、数字キー６の近傍には右方向の矢印が、それぞれ表示されている。また、肯定または否定の意味をシンボライズした記号として、数字キー５または０の近傍には、「ＹＥＳ」または「ＮＯ」の文字がそれぞれ表示されている。
【０１１１】
図１７は、本体４０５の上部背面図であり、ジョイスティック４１０の近傍のみ断面で表されている。ジョイスティック４１０は、本体４０５を背面から見た場合の右側面上（本体４０５を正面から見た場合の左側面上）であって、スピーカ７０２の下端部の近傍に配置されている。凹部４１１は、使用者がジョイスティック４１０を多方向（本実施例では、後述するように、８方向）に動かすことができるように形成されている。なお、図示は省略しているが、この凹部４１１はゴミなどが進入しないように被覆されている。
【０１１２】
図１８は、ジョイスティック４１０の構成例を示す斜視図である。このジョイスティック４１０は、本体１６１からレバー１６２が突出し、使用者の指によって操作される半球状の操作ボール４７３がレバー１６２の先端に取り付けられる構造とされている。そして、操作ボール４７３を水平面内における８個の方向に方向操作したとき、レバー１６２は、その操作方向に対応して回動し、また、操作ボール４７３をセレクト操作（垂直操作）したとき、レバー１６２が垂直方向に押し下げられるようになされている。
【０１１３】
図１９は、レバー１６２の水平面内における８個の操作方向を表している。同図に示すようにレバー１６２は、Ａ乃至Ｈで示す８個の水平面内の方向に方向操作することができるようになされている。
【０１１４】
本実施例においては、ジョイスティック４１０が、本体４０５の側面（本体４０５を正面から見た場合の左側面）のスピーカ７０２の下端部の近傍に配置されているので、通話状態においても、使用者はジョイスティック４１０を、本体４０５を持つ手の所定の指で、容易に操作することができ、受信機２などの遠隔制御を行うことができる。
【０１１５】
例えば、図２０に示すように、リモコン５を左手に持って通話する場合（すなわち、スピーカ７０２から出力される音声を左耳で聴く場合）、使用者は、ジョイスティック４１０を左手親指４８０で、容易に操作することができ、遠隔制御を行うことができる。
【０１１６】
一方、図２１に示すように、リモコン５を右手に持って通話する場合（すなわち、スピーカ７０２から出力される音声を右耳で聴く場合）、使用者は、ジョイスティック４１０を右手人差し指４９０で、容易に操作することができ、遠隔制御を行うことができる。
【０１１７】
また、例えば、表示装置４０１に電話番号リストが表示されている場合において、ジョイスティック４１０を操作することによって、表示装置４０１に表示される電話番号リストをスクロールさせるようにすることができる。
【０１１８】
図２２は、リモコン５の内部の構成例を表している。マイクロホン７０３より入力された音声信号は、送信回路６８２に入力され、デジタル化され、変調された後、アンテナ６８１を介してＲＦ信号としてベースユニット６００に伝送されるようになされている。
【０１１９】
受信回路６８３はアンテナ６８１を介して受信したＲＦ信号を復調し、復調信号のうち、音声信号をスピーカ７０２に出力し、コマンドをマイクロコンピュータ６８４に出力している。
【０１２０】
マイクロコンピュータ６８４もＣＰＵ，ＲＯＭ，ＲＡＭを備え、タブレット４３１が出力する、表示部４３０に表示されたキー群７０１の操作信号、あるいはコールボタン４０２、メモリボタン４０３、プレビューボタン４０４の操作に対応する信号に応じて各種の動作制御を行う。また、マイクロコンピュータ６８４は必要に応じて表示部４３０に所定の表示を行わせる。
【０１２１】
マイクロコンピュータ６８４はまた、ジョイスティック４１０（本体１６１）の操作状態を監視している。即ち、本体１６１の内部の接点Ａ乃至Ｈは、図１９に示した８つの方向Ａ乃至Ｈにそれぞれ対応しており、レバー１６２をＡ乃至Ｄの方向に操作したとき、端子Ａ乃至Ｄのいずれかと、端子Ｃ１が導通するようになされている。また、方向Ｅ乃至Ｈのいずれかの方向に、レバー１６２を回動したとき、これらの端子Ｅ乃至Ｈのいずれか１つと、端子Ｃ２とが導通するようになされている。また、ＨとＡとの間、およびＤとＥとの間においては、端子Ｃ１とＣ２とがともに導通するようになされている。さらに、レバー１６２を垂直方向に操作したとき、端子１と２とが導通常帯になるようになされている。
【０１２２】
本体１６１のこれらの端子の導通状態は、マイクロコンピュータ６８４によりモニタされるようになされており、これにより、ジョイスティック４１０の方向操作とセレクト操作とが検知されるようになされている。
【０１２３】
次に、動作モードが、モニタ装置４にプレビューを表示させるプレビューモードとされた場合の受信機２の動作について、図１０および図２３を参照して説明する。リモコン５の、例えばプレビューボタン４０４が所定の時間連続して操作されると、受信機２の動作モードがプレビューモードとされる。
【０１２４】
即ち、プレビューボタン４０４が操作されると、その操作に対応した操作信号が、ベースユニット６００およびモデムユニット６３１を介して、ＣＰＵ２９に入力され、ＣＰＵ２９は、プレビューボタン４０４の操作に対応する操作信号を、所定の時間連続して受信すると、フロントエンド２０に対し、アーカイブデータの伝送チャンネルの受信を指示し、これによりフロントエンド２０からデマルチプレクサ２４に、アーカイブデータを供給させる。
【０１２５】
これにより、チューナ２１では、番組選択画面専用の伝送チャンネルからの信号が受信されて復調される。チューナ２１の出力は、ＱＰＳＫ復調回路２２により、さらにＱＰＳＫ復調された後、誤り訂正回路２３で誤り訂正処理が行われ、デマルチプレクサ２４に入力される。デマルチプレクサ２４に入力されるデータには、上述した６個のマルチ画面のビデオデータのパケットが含まれている。
【０１２６】
仮に、これらのパケットには、番号１乃至番号６のデータＩＤ（パケットＩＤ）が付加されているものとすると、それぞれ番号１乃至番号６のデータＩＤを有するデータは、分解（分離）される。そして、マルチチャンネルリアルタイムデコーダ２５の対応するＭＰＥＧビデオデコーダ２５−１乃至２５−６によりデコードされ、ＤＲＡＭ２５ａ−１乃至２５ａ−６に供給され、記憶される。すなわち、ＤＲＡＭ２５ａ−１には、パケットＩＤ１のマルチ画面が記憶され、以下同様に、ＤＲＡＭ２５ａ−２乃至２５ａ−６には、データＩＤ２乃至６のマルチ画面が、それぞれ記憶される。
【０１２７】
そして、ＤＲＡＭ２５ａ−１乃至２５ａ−６に記憶された６個のマルチ画面は、そこから読み出され、仮想フレームメモリ４９に１つの仮想画面を構成するように展開されて記憶される。図２３の実施例においては、データＩＤ１のＮｏ．１で示すマルチ画面が仮想画面の左上に配置され、データＩＤ２のＮｏ．２で示すマルチ画面がその右側に配置され、データＩＤ３のＮｏ．３で示すマルチ画面はデータＩＤ１のマルチ画面の下側に配置され、データＩＤ４のＮｏ．４で示すマルチ画面はデータＩＤ３のマルチ画面の右側に配置され、データＩＤ５のＮｏ．５で示すマルチ画面はデータＩＤ３のマルチ画面の下側に配置され、データＩＤ６のＮｏ．６で示すマルチ画面はデータＩＤ５のマルチ画面の右側に配置される。
【０１２８】
なお、上述したように、Ｎｏ．１乃至Ｎｏ．６で示す６個のマルチ画面のデータは、１つの伝送チャンネルで（１つのトランスポンダから１つの搬送波で）伝送されてくる。従って、図２３に示すように、チューナ２１を含むフロントエンド２０は１個でも、６個のＭＰＥＧビデオデコーダ２５−１乃至２５−６を備えておけば、６個のマルチ画面を同時に受信し、仮想フレームメモリ４９に記憶させることができる。
【０１２９】
番組選択画面を構成するマルチ画面の１つ以上を、他のトランスポンダと対応している伝送チャンネルを介して伝送するようにすると、その伝送チャンネルのマルチ画面を受信するために、チューナ２１の受信周波数を切り替えるようにしなければならず、結局、すべてのマルチ画面を同時に受信することができなくなる（勿論、チューナ２１を複数個設ければ、それが可能となるが、そのようにすると、構成が複雑となりコスト高となる）。そこで、番組選択画面を伝送する伝送チャンネルは、１つの伝送チャンネル（共通の伝送チャンネル）とするのが好ましい。
【０１３０】
１つの伝送チャンネル（アーカイブデータ）から、複数の番組選択画面を受信し、これを仮想フレームメモリ４９に記憶させる処理は、図２４と図２５に模式的に表されている。
【０１３１】
すなわち、デマルチプレクサ２４は、６個の番組選択画面がまとめられたアーカイブデータを受信すると、図２４に示すように、それを個々の番組選択画面に分離する。そして、図２５に示すように、その結果得られる６個のマルチ画面を、仮想フレームメモリ４９に、マトリクス状に配列して記憶させる。従って、仮想フレームメモリ４９には、放送局から送信されてくる複数の放送チャンネルの番組の縮小画面を６×９個配置した仮想画面（１つのマルチ画面より大きい仮想画面）（仮想画面）が記憶される。そして、縮小画面は、通常の番組の画面を縮小したものであるから、フレームレートが３０ｆｐｓのフルモーションの画像（完全な動画像）であり、従って、仮に、仮想画面を表示すれば、放送局から送信されてくる５４個の放送チャンネルの番組の内容（縮小画面）をフルモーションで見ることができることになる。
【０１３２】
ここで、縮小画面を、仮想フレームメモリ４９に記憶させるときには、６個のマルチ画面を、仮想フレームメモリ４９の２×３個の所定の位置にそのまま配置するのではなく、各縮小画面をＣＰＵ２９で独立に管理する（仮想画面の画素データを、２４０×１６０画素を単位として管理する）ようにすることで、仮想フレームメモリ４９の６×９個の子画面の任意の位置に配置できるように管理することもできる。
【０１３３】
このようにした場合、例えば各縮小画面を順番に、仮想フレームメモリ４９の最上行の左端から右方向に所定数だけ配列し、さらに次の行の左端から右方向に所定数だけ配列し、以下同様にして配列することもできるし、図５を参照して説明した場合と同様に、番組のカテゴリごとに分けて配列することもできる。縮小画面を、番組のカテゴリ毎に分けて配列する場合には、放送局側において、縮小画面に、その縮小画面に対応する番組のカテゴリをＥＰＧデータとして付加するようにし、受信機２では、縮小画面に付加されている番組のカテゴリをＥＰＧデータから読み取り、各縮小画面を、仮想フレームメモリ４９に、番組のカテゴリ毎に分けて配列するようにすれば良い。
【０１３４】
また、仮想フレームメモリ４９には、視聴者が所望する配列方法で、縮小画面を配列することも可能である。すなわち、放送局側において、縮小画面に、上述したように番組のカテゴリを付加するようにした場合には、リモートコマンダ５を操作して、番組のカテゴリの順序を設定することによって、その設定順序で、仮想フレームメモリ４９の最上行から縮小画面を順次配列するようにすることができる。さらには、例えば視聴者が各チャンネルの番組を視聴した頻度をカウントし、その頻度順に縮小画面を配列することなども可能である。
【０１３５】
また、例えば、放送局側において、縮小画面に、各縮小画面に対応する番組の放送チャンネルを付加するようにした場合には、リモートコマンダ５を操作して、番組の放送チャンネルの順序を設定することによって、その設定順序で、仮想フレームメモリ４９の最上行から縮小データを順次配列するようにすることなども可能である。
【０１３６】
さらに、この仮想フレームメモリ４９に記憶された縮小画面は、モニタ装置４に表示されるが、この表示を見ながら、リモートコマンダ５を操作することによって、仮想フレームメモリ４９に記憶された縮小データの配置位置を変更することも可能である。
【０１３７】
従って、この場合、視聴者の嗜好に合わせた縮小画面の配列を行うことができる。すなわち、縮小画面の配列のカスタマイズを行うことができる。
【０１３８】
さらに、図５で説明したように、放送局側において、縮小画面が、番組のカテゴリ毎に分けて配列されて送信されてきた場合などには、その配列状態で、縮小画面を仮想フレームメモリ４９に記憶させることができる。但し、縮小画面が、番組のカテゴリごとに分けて配列されて送信されてきた場合であっても、上述したように、視聴者が所望する配列方法で、縮小画面を配列することも可能である。
【０１３９】
なお、配列方法（配列順序）の設定は、リモートコマンダ５のコールボタン４０２を所定の時間連続して操作することによりモニタ装置４に表示される所定のメニュー画面に従って、リモートコマンダ５（ジョイスティック４１０）を操作することによって行うことができるようになされている。設定された配列方法は、例えばＥＥＰＲＯＭ３８に記憶され、ＣＰＵ２９は、ＥＥＰＲＯＭ３８に配列方法が設定されている場合には、デマルチプレクサ２４に対し、仮想フレームメモリ４９に縮小画面を記憶させるときの配列順序を指定する。そして、デマルチプレクサ２４は、ＣＰＵ２９から指定された配列順序にしたがって、仮想フレームメモリ４９に縮小画面を記憶させる。
【０１４０】
仮想フレームメモリ４９に縮小画面が記憶されると、そのうちの、モニタ装置４の１画面に同時に表示することのできるだけの範囲（選択エリア）の縮小画面が、ＣＰＵ２９により指令される。すなわち、本実施例においては、上述したように、１つの縮小画面は、通常の番組の画面の縦および横の長さが１／３にされたものであるので、例えば図２６に示すように、図中太線で囲んだ３×３個の縮小画面が読み出される。そして、この３×３個の縮小画面は、受信機２よりモニタ装置４に供給されて表示される。すなわち、プレビューが表示される。
【０１４１】
ここで、上述のように、仮想フレームメモリ４９に記憶された縮小画面のうちの所定の３×３個の範囲を表示する場合には、モニタ装置４の画面を、仮想フレームメモリ４９上の縮小画面を部分的に覗き見するようなメタファーとして使用しているということができる。
【０１４２】
そして、この場合、モニタ装置４においては、プレビューである３×３個の縮小画面とともに、例えば図２７に示すように、ある１つの縮小画面を囲むような枠状のカーソル２０１も、画面にスーパインポーズしてＯＳＤ表示される。なお、カーソル２０１は、上述したような枠状のものに限定されるものではなく、矢印やその他のマークなどの選択をイメージさせるようなグラフィックスであれば良い。
【０１４３】
このカーソル２０１が、例えば３×３個の縮小画面の中央のものに位置している場合において、リモートコマンダ５のジョイスティック４１０が、上方（例えば、図１９におけるＡの方向）、下方（例えば、図１９におけるＥの方向）、右方、左方、右斜め上方向、右斜め下方向、左斜め上方向、または左斜め下方向へ方向操作されると、その操作方向に応じて、カーソル２０１は、上方向、下方向、右方向、左方向、右斜め上方向、右斜め下方向、左斜め上方向、または左斜め下方向に表示されている縮小画面を囲む位置に移動される。なお、上下左右方向へのカーソル２０１の移動については、キー群７０１の数字キー２，８，４、または６をそれぞれ操作することによっても行うことができるようになされている。
【０１４４】
ここで、もし、カーソル２０１が、モニタ装置４の画面の上下左右の端まで移動された状態で、さらにジョイスティック４１０の方向操作が行われた場合、モニタ装置４の表示内容、すなわちプレビューがスクロールする。例えば、プレビューの最下行にカーソル２０１が位置している場合に、ジョイスティック４１０が下方へ方向操作された場合、プレビューは１行分上方へスクロールする。
【０１４５】
このスクロールは、例えば図２６において太線で囲んだ３×３個の縮小画面に代えて、同図において点線で囲んだ３×３個の縮小画面が、仮想フレームメモリ４９から読み出され、モニタ装置４に供給されることによって行われる。なお、カーソル２０１は最下行で止まったままの状態にあるので、結果として、図２６に示した仮想フレームメモリ４９の中で、カーソル２０１が１行分下方へ移動したことになる。
【０１４６】
さらに、例えば図２８に示すように、モニタ装置４に、仮想フレーム３５の最下行に配置（配列）された縮小画面を含む３×３個の縮小画面（図中、太線で囲んだ３×３個の縮小画面）が表示された状態であって、カーソル２０１が、モニタ装置４の画面の下の端まで移動された状態において、さらにジョイスティック４１０の下方向への方向操作が行われた場合にも、モニタ装置４の画面はスクロールし、これにより、モニタ装置４には、同図において点線で囲んだ範囲の最下行およびその１つ上の行における３×２個の縮小画面、並びに最上行の３×１個の縮小画面が表示される。
【０１４７】
従って、モニタ装置４に、図２８で太線で囲んだ３×３個の縮小画面が表示された状態であって、カーソル２０１が、モニタ装置４の画面の下の端まで移動された状態において、さらにジョイスティック４１０の下方向への方向操作が、３回続けて行われた場合には、モニタ装置４には、図２８に斜線を付して示す、最上行の縮小画面を含む３×３個の縮小画面が表示されることになる。
【０１４８】
上方、左方、右方、右斜め上方向、右斜め下方向、左斜め上方向、および左斜め下方向に関しても、同様にスクロールが行われる。
【０１４９】
なお、このスクロールは、ジョイスティック４１０の方向操作に対応する信号（操作信号）が受信機２のＣＰＵ２９に受信され、ＣＰＵ２９において、受信された操作信号に対応して、仮想フレームメモリ４９の読み出しアドレスが制御されることによって行われる。すなわち、ＣＰＵ２９は、受信した操作信号に基づいて、モニタ装置４に表示すべき縮小画面の範囲、即ち選択エリアを認識する。そして、ＣＰＵ２９は、仮想フレームメモリ４９に対し、その選択エリアを読み出すように指令する。これにより、選択エリア（一部の仮想画面）が、仮想フレームメモリ４９から読み出れて、モニタ装置４に出力され、その結果、画面がスクロールする。
【０１５０】
従って、この場合のジョイスティック４１０の操作は、仮想フレームメモリ４９から読み出すべき選択エリアを指定するための操作であるということができる。
【０１５１】
以上のように、プレビューがスクロールするので、番組の数が、モニタ装置４に縮小画面を、同時に表示することのできる数より多くても、視聴者に対し、すべての番組のプレビューを提供することができる。
【０１５２】
視聴者は、図２７に示すようなモニタ装置４に表示されたフルモーションの縮小画面を見ながら、ジョイスティック４１０を操作し、カーソル２０１を、所望する縮小画面に移動させる。そして、所望する縮小画面に、カーソル２０１が位置している状態で、プログラム（番組）の選択を確定するために、ジョイスティック４１０を垂直操作（セレクト操作）（エンタ（Enter）操作）すると、ＣＰＵ２９からフロントエンド２０に対し、その縮小画面との間にリンクが張られているチャンネルの番組を受信するように、指令が送られる。なお、この指令は、キー群７０１の数字キー５を操作することによっても送られるようになされている。
【０１５３】
これにより、フロントエンド２０のチューナ２１では、指令された番組の伝送チャンネルに同調周波数が合わされ、その伝送チャンネルに含まれる複数の番組のパケットデータが、マルチプレクサ２４に出力される。デマルチプレクサ２４は、ＣＰＵ２９からの指令に対応して複数の番組のパケットの中から所定の番組のパケットを分離し、ＭＰＥＧビデオデコーダ２５−１に出力する。そこでデコードされたデータがＮＴＳＣエンコーダ２７で処理され、後段のブロックを介して、モニタ装置４に出力され、モニタ装置４では、プレビューに代えて、受信機２から出力されたデータ（番組）が表示される。
【０１５４】
すなわち、視聴者は、ジョイスティック４１０を操作して、カーソル２０１を、所望する縮小画面に移動させ、その位置で、ジョイスティック４１０を垂直操作することによって、所望する番組を見ることができる。
【０１５５】
なお、番組選択画面には、音声が付随しており、マルチプレクサ２４は、カーソル２０１が位置している縮小画面に対応する音声（縮小画面に対応する番組の音声）のパケットを分離してＭＰＥＧオーディオデコーダ２６に供給し、デコードさせる。これにより、視聴者は、カーソル２０１が位置しているフルモーションの縮小画面を見ることができるとともに、その縮小画面に付随する音声を同時にリアルタイムで聴くこともできる。
【０１５６】
以上のような、カーソル２０１を移動させるためのジョイスティック４１０の８方向操作と、それに続けて行われるカーソル２０１が位置している縮小画面に対応する番組の選択を確定するためのジョイスティック４１０の垂直操作（セレクト操作）という一連の操作が、図２０または図２１で説明したように、全て親指または人差し指のみなどで、なおかつリモートコマンダ５を持ち変えることなく操作できるようになっており、操作性の向上が図られている。
【０１５７】
以上、番組選択画面から所望の番組を選択する場合の動作について説明したが、リモコン５の一般的な使用方法をまとめると、図２９のフローチャートに示すようになる。なお、図２９の実施例では、ジョイスティック４１０ではなく、キー群７０１を利用して、カーソル２０１の方向操作、およびセレクト操作を行うものとしてある。
【０１５８】
すなわち、最初にステップＳ１において、ユーザは、このリモコン５を電話機として使用するのか、または電子機器としての受信機２（モニタ装置４）を遠隔制御するリモートコマンダとして使用するのかを判定する。リモートコマンダとして使用する場合においてはステップＳ２に進み、プレビューボタン４０４を操作する。このとき、リモコン５からの信号に対応して、ベースユニット６００からは、プレビューボタン４０４に対応するＤＴＭＦ信号が発生され、モデム６３２に伝送される。モデム６３２はこのＤＴＭＦ信号をデコードし、所定のコードをＣＰＵ２９に出力する。そして、ＣＰＵ２９は、このコードに割り付けられている機能を解釈し、その解釈に対応して、チューナ２１を制御し、番組選択画面を受信し、表示させる。
【０１５９】
次にステップＳ３に進み、使用者は、数字キー２，８，４または６により構成される方向キーのいずれかを操作する。この操作をした場合においても、操作されたキーに対応するＤＴＭＦ信号がモデムユニット６３１に伝送され、モデム６３２から数字２，８，４または６に対応するコードがＣＰＵ２９に入力される。ＣＰＵ２９は、このコードに対応する機能を解釈し、その解釈（カーソル移動）に従って、カーソルを、操作したキーに対応する方向に移動させる。
【０１６０】
カーソル２０１を所望の番組（縮小画面）上に移動させた後、使用者は、ステップＳ４においてＹＥＳキー（数字キー５）を操作する。このときも、数字５に対応するＤＴＭＦ信号がモデムユニット６３１に伝送され、モデム６３２から数字５に対応するコードがＣＰＵ２９に入力される。ＣＰＵ２９は、この数字５に対応する機能を、番組の確定として解釈する。ＣＰＵ２９は、この解釈に従って、チューナ２１を制御し、指定された番組を受信、表示させる。これにより、モニタ装置４に番組選択画面で指定した番組がフルサイズで表示される。
【０１６１】
一方、ユーザは、リモコン５を電話機として使用すると、ステップＳ１において判定した場合においてはステップＳ１０に進み、最初にＴＥＬキーを押す。上述した場合と同様の処理を経て、ＴＥＬキーに対応するＤＴＭＦ信号が入力されたとき、外接電話オフフック検出回路６３４はオフフックを検出する。このときモデム６３２は電話モードを設定し、以後、ＤＴＭＦ信号として入力される数字、記号を、電話操作のための入力として処理する。従って、この場合においては、モデム６３２は、入力されたＤＴＭＦ信号をデコードしない。
【０１６２】
そこでユーザは、ステップＳ１１に進み、数字キーを押して電話番号を入力する。リモコン５のマイクロコンピュータ６８４は、送信回路６８２を制御し、操作されたキーに対応する信号をベースユニット６００に送信させる。
【０１６３】
ベースユニット６００のマイクロコンピュータ６５６は、受信回路６５４を介してこの信号の入力を受けたとき、ＤＴＭＦエンコーダ６５２を制御し、操作した数字キーに対応するＤＴＭＦ信号を発生させる。モデム６３２は電話モードにおいてＤＴＭＦ信号が入力されたとき、これをモジュラジャック６３５を介して電話回線に伝送させる。すなわち、回線制御動作が行われる。
【０１６４】
モデム６３２は、相手側が、この発呼動作に応答したことを、電話回線の極性の反転などから検出すると、電話回線を閉結させる。
【０１６５】
その結果、電話回線を介して、相手方から伝送されてきた受話音声が、外接電話オフフック検出回路６３４を介してベースユニット６００に入力される。回線インタフェース６５１はこの受話音声を送信回路６５３に供給し、アンテナ６５５を介してリモコン５に送信させる。
【０１６６】
リモコン５においては、この受話音声をアンテナ６８１を介して受信回路６８３で受信し、スピーカ７０２から出力する。
【０１６７】
またマイクロホン７０３から入力された送話音声は、送信回路６８２からアンテナ６８１を介してベースユニット６００に送信される。
【０１６８】
ベースユニット６００においては、アンテナ６５５を介して受信回路６５４でこの送話音声を受信し、回線インタフェース６５１を介して出力する。この送話音声が外接電話オフフック検出回路６３４を介して電話回線に送信される。このようにして、ステップＳ１２における通話処理が実行される。
【０１６９】
電話回線を介して相手方から呼び出し信号が入力されたとき、この呼び出し信号がベースユニット６００に入力される。回線インタフェース６５１を介してこの呼び出し信号が入力されたとき、受信回路６５４がこれを検出し、検出信号をマイクロコンピュータ６５６に出力する。
【０１７０】
このとき、マイクロコンピュータ６５６は送信回路６５３を制御し、リンガ音信号を発生し、図示せぬスピーカから出力させる。このリンガ音信号はまた、送信回路６５３からアンテナ６５５を介してリモコン５に伝送される。リモコン５においては、このリンガ音信号が受信回路６８３で受信され、スピーカ７０２から出力される。これにより、ユーザは、着呼があったことを知ることができる。
【０１７１】
なお、所定の設定を行うことにより、リモコン５からはリンガ音が出力されないようにすることもできる。
【０１７２】
ユーザはこの着呼に対して応答するとき、ＴＥＬキーを操作する。このとき、マイクロコンピュータ６８４は、送信回路６８２を制御し、応答信号を発生させる。
【０１７３】
ベースユニット６００のマイクロコンピュータ６５６は、受信回路６５４からこの応答信号の検出信号の入力を受けたとき、受信回路６５４を制御し、オフフック信号を発生させる。このオフフック信号は、回線インタフェース６５１を介してモデムユニット６３１の外接電話オフフック検出回路６３４で検出される。モデム６３２はオフフックが検出されたとき電話回線を閉結させる。これにより通話が可能となる。
【０１７４】
図３０は、ＤＴＭＦ信号の構成を表している。同図に示すように、ＤＴＭＦ（Dual Tone Muliti Frequency）信号は、各キーに対応して、低群周波数と高群周波数の２つの周波数の混合信号が割り当てられている。図３０に示すように、低群周波数は、６９７Ｈｚ、７７０Ｈｚ、８５２Ｈｚ、または９４１Ｈｚのいずれかであり、高群周波数は、１２０９Ｈｚ、１３３６Ｈｚ、１４７７Ｈｚ、または１６３３Ｈｚのいずれかであり、各キーには、これらの周波数が割り付けられている。
【０１７５】
例えば、数字キー１には、６９７Ｈｚの低群周波数と１２０９Ｈｚの高群周波数が割り付けられている。数字キー２には、６９７Ｈｚの低群周波数と１３３６Ｈｚの高群周波数が割り付けられている。
【０１７６】
なお、図１２に示すＴＥＬキーには、図３０において、例えば文字Ａで示す位置の６９７Ｈｚの低群周波数と１６３３Ｈｚの高群周波数が割り付けられている。また、図１２におけるコールボタン４０２、メモリボタン４０３、またはプレビューボタン４０４には、図３０において、例えば文字Ｂ，Ｃ、またはＤで示す位置の周波数がそれぞれ割り当てられている。
【０１７７】
従って、例えば、ＤＴＭＦエンコーダ６５２は、数字キー１が操作されたとき、６９７Ｈｚと１２０９Ｈｚの２つの周波数の信号を混合した信号をＤＴＭＦ信号として出力する。また、数字キー２が操作された場合においては、６９７Ｈｚの周波数の信号と１３３６Ｈｚの周波数の信号との混合信号をＤＴＭＦ信号として発生する。
【０１７８】
ＤＴＭＦデコーダ６３３は、このＤＴＭＦ信号を受信したとき、対応する数字または記号に対応するコードを発生することになる。例えば６９７Ｈｚと１３３６Ｈｚの周波数のＤＴＭＦ信号を検出したとき、数字２のコードを出力する。
【０１７９】
電話機（ベースユニット）６００から受信機２に対して、キーの操作信号を通知するのに、ＤＴＭＦ信号以外の信号を使用することも可能である。しかしながらそのようにすると、そのための専用の検出回路を受信機２に設ける必要が生じ、コスト高となる。モデム６３２は、電話回線との間のインタフェースのために、本来ＤＴＭＦデコーダを内蔵しているので、本実施例のように、これをそのまま利用するようにすることで、構成を簡略化し、コストを低減することができる。
【０１８０】
図３１は、リモコン５の他の実施例の構成を示す正面図である。このリモコン５の構成は、上述したものと基本的に同様であるが、本実施例においては、本体４０５に対して開閉自在に蓋１００２が設けられている。そして蓋１００２を開放したとき、本体４０５のフルキーボード１００１が露出するようになされている。また、蓋１００２の裏側には、図示せぬ透明タブレットが重ねられたＬＣＤパネル１００３及びクレジットカード等に記録されている情報を読み取るカードリーダ１００４が取り付けられている。使用者は、ペン等を用いてＬＣＤパネル１００３上に重ねられた図示せぬ透明タブレットの上から情報を入力することができる。
【０１８１】
この場合においても、ジョイスティック４１０が、図１２に示す場合と同様の位置に配置されているので、通話状態においても、ジョイスティック４１０を操作することにより、容易に遠隔制御を行うことができる。
【０１８２】
以上においては、ベースユニット６００が発生するＤＴＭＦ信号を利用するようにしたが、リモコン５がＤＴＭＦエンコーダを内蔵する場合には、リモコン５が発生するＤＴＭＦ信号を利用するようにすることも可能である。
【０１８３】
また、受信機２において、ビデオサーバ５３からの信号を、ケーブル網（図示せず）を介して受信し、いわゆるビデオオンデマンドサービスの提供を受けることが可能な状態となっている場合には、リモコン５を操作することで、画面の巻戻しなどを行うことができる。即ち、例えば、いま、モニタ装置４に表示されているのが、ビデオオンデマンドの番組（フルサイズの画面）である場合においては、巻戻しキー（数字キー４）、早送りキー（数字キー６）、またはポーズキー（数字キー５）を、それぞれ操作することで、いま受信している番組の画面を時間的に逆方向に戻したり、進めたり、あるいはポーズ状態にすることができる。
【０１８４】
すなわち、これらのキーが操作されると、対応するＤＴＭＦ信号が発生され、数字４，６または５に対応するＤＴＭＦ信号がモデムユニット６３１に伝送され、モデム６３２から数字４，６または５に対応するコードがＣＰＵ２９に入力される。
【０１８５】
ＣＰＵ２９は、これらのコードを解釈し、これらのキーの操作に対応する、巻戻し、早送り、またはポーズを要求する信号を、ケーブル網を介してビデオサーバ５３に供給する。ビデオサーバ５３は、この信号の供給を受けたとき、ケーブル網を介して受信機２に伝送する番組を時間的に高速にさかのぼる画面に変更したり、時間的に高速に進む方向の画面に変更したり、静止画の画面に変更する。いわばＶＣＲを再生している場合において、磁気テープを巻戻したり、早送りしたり、あるいはポーズ状態とした場合と同様の画面を伝送する。その結果、モニタ装置４には、このような画面が表示される。
【０１８６】
次に、動作モードがブラウズ（Browse）モードとされた場合の受信機２の動作について説明する。リモコン５の、例えばジョイスティック４１０が所定の時間（例えば、３秒間など）連続してセレクト操作されると（垂直操作された状態とされると）、受信機２の動作モードがブラウズモード（自動ブラウズモード）とされ、ＣＰＵ２９によって図３２に示すフローチャートにしたがった処理が行われる。
【０１８７】
即ち、ジョイスティック４１０が押し込まれると（セレクト操作されると）、その操作に対応した操作信号が、ベースユニット６００およびモデムユニット６３１を介して、ＣＰＵ２９に入力され、ＣＰＵ２９は、ジョイスティック４１０のセレクト操作に対応する操作信号を、所定の時間連続して受信すると、ステップＳ２１において、動作モードがブラウズモードとし、初期設定処理を行う。
【０１８８】
ここで、例えば動作モードがプレビューモードである場合には、ジョイスティック４１０がセレクト操作されると、上述したように、番組の選択が行われるが、これは、ＣＰＵ２９において、リモコン５からのジョイスティック４１０のセレクト操作に対応する操作信号が、所定の短い時間（例えば、１秒以下など）しか受信することができなかったときに行われる。従って、上述のように、ジョイスティック４１０が、ある程度長い時間連続してセレクト操作（垂直操作）された場合に、番組の選択その他の処理が行われることはない。
【０１８９】
なお、ブラウズモードの起動は、上述したようなジョイスティック４１０を所定時間連続してセレクト操作する他、その他の特定の操作によるソフトウェア的なトリガによって行うこともできるし、その起動のためのハードウェア（例えば、ボタンなど）をリモコン５に設け、その操作によって行うようにすることなども可能である。
【０１９０】
ステップＳ２１の初期設定処理では、ＣＰＵ２９が、フロントエンド２０に対し、アーカイブデータの伝送チャンネルの受信を指示し、これによりフロントエンド２０からデマルチプレクサ２４に、アーカイブデータを供給させる。そして、以下、プレビューモードにおける場合と同様にして、仮想フレームメモリ４９に、仮想画面が記憶される。
【０１９１】
さらに、ステップＳ２１では、ＣＰＵ２９において、仮想画面のうち、例えば図３３に斜線を付して示す例えば左上部分の３×３個の縮小画面が選択エリアとされ、これがモニタ装置４に出力されて表示される。即ち、プレビューが表示される（このように、動作モードがブラウズモードとされて、最初に表示されるプレビューを、以下、適宜、初期プレビューという）。また、このとき、ＣＰＵ２９は、上述したようにして、カーソル２０１も、初期プレビューの、例えば最も左上の縮小画面の位置に表示させる。
【０１９２】
その後、ステップＳ２２において、カーソルが位置する縮小画面に対応する番組の音声が、上述したようにして再生され、ステップＳ２３に進み、ジョイスティック４１０がセレクト操作されたか否かが判定される。ステップＳ２３において、ジョイスティック４１０がセレクト操作されていないと判定された場合、ステップＳ２４に進み、ジョイスティック４１０が、上述した８方向のいずれかの方向に操作（方向操作）されたか否かが判定される。ステップＳ２４において、ジョイスティック４１０が方向操作されたと判定された場合、ステップＳ２８に進み、ブラウズモードが解除され、処理を終了する。即ち、受信機２の動作モードは、ブラウズモードとされる前の動作モードにされる。従って、ユーザは、ブラウズモードから抜け出したい場合には、ジョイスティック４１０を方向操作することで、ブラウズモードを終了させることができる。
【０１９３】
また、ステップＳ２４において、ジョイスティック４１０が方向操作されていないと判定された場合、ステップＳ２５に進み、メモリボタン４０３が操作されたか否かが判定される。ステップＳ２５において、メモリボタン４０３が操作されていないと判定された場合、ステップＳ２６に進み、いま、カーソル２０１が位置している縮小画面にそのカーソル２０１の表示が開始されてから、所定の時間Ｔ１（例えば、１０秒間など）が経過したか否かが判定される。ステップＳ２６において、所定の時間が経過していないと判定された場合、ステップＳ２２に戻る。
【０１９４】
また、ステップＳ２６において、所定の時間が経過したと判定された場合、カーソル２０１が、他の縮小画面の位置に移動され、ステップＳ２２に戻る。従って、この場合、ステップＳ２２では、カーソル２０１の移動先の縮小画面に対応する番組の音声が開始される。
【０１９５】
よって、リモコン５が操作されなければ、ステップＳ２２乃至２７の処理が繰り返し行われ、これにより、カーソル２０１は、モニタ装置４に表示された縮小画面を、所定の時間Ｔ１単位で指示しながら移動することになる。
【０１９６】
ここで、カーソル２０１は、仮想画面を構成する縮小画面を、任意の順序で指示するように移動させることができる。即ち、カーソル２０１は、例えば図３３に示すように、仮想画面を構成する縮小画面を、左から右、そして上から下へ順番に指示していくように移動させることができる。
【０１９７】
さらに、カーソル２０１は、例えば図３４に示すように移動させることなども可能である。即ち、まず、ブラウズモードへの移行後最初に表示される初期プレビューを構成する３×３の縮小画面を、左から右、そして上から下へ順番に指示していくように、カーソル２０１を移動させ、次に、その下に位置する３×３の縮小画面をプレビューとして表示させ、同様にカーソル２０１を移動させる。以下、仮想画面の左下に配置された３×３の縮小画面、右上に配置された３×３の縮小画面、その下に配置された３×３の縮小画面、さらにその下に配置された３×３の縮小画面についても、同様にして、カーソル２０１を移動させる。
【０１９８】
また、カーソル２０１は、仮想画面上を、いわゆるジグザグスキャンするように移動させることも可能である。
【０１９９】
図３２に戻り、ステップＳ２３において、ジョイスティック４１０がセレクト操作されたと判定された場合、ステップＳ２９に進み、そのときカーソル２０１が位置している縮小画面とリンクが張られたフルモーションの画面が、上述した場合と同様にして表示される。その後、所定の時間Ｔ２（但し、時間Ｔ２は、上述した時間Ｔ１より充分短い時間（例えば、１，２秒など）が経過すると、ステップＳ３０に進み、仮想画面上を、カーソル２０１が移動され、プレビュー画面が表示されて、ステップＳ２２に戻る。
【０２００】
従って、モニタ装置４の表示が、例えば図３５（Ａ）に示すような状態である場合に、ジョイスティック４１０がセレクト操作されたときには、そのときカーソル２０１が位置している縮小画面に対応するフルモーションの画面（通常の画面）が、図３５（Ｂ）に示すように、モニタ装置４全体に表示される。そして、所定の時間Ｔ２が経過すると、図３５（Ｃ）に示すように、次の縮小画面にカーソル２０１が移動した状態のプレビュー画面が表示され、その縮小画面に対応する音声が出力される。
【０２０１】
上述したように、カーソル２０１は、所定の時間Ｔ１が経過するごとに、次の縮小画面に自動的に移動して行くが、その所定の時間Ｔ１の間待っているのが煩わしい場合には、ユーザは、ジョイスティック４１０をセレクト操作することで、即座に次の縮小画面にカーソル２０１を移動させることができる。
【０２０２】
なお、図３５に示した実施例では、カーソル２０１の移動は、図３４に示したような順序で行われるようになされている。
【０２０３】
また、以上においては、ジョイスティック４１０がセレクト操作されたときにカーソル２０１が位置している縮小画面に対応するフルモーションの画面を表示させてから、カーソル２０１を次の縮小画面に移動させるようにしたが、カーソル２０１は、特にフルモーションの画面を表示することなく、移動させることも可能である。但し、ジョイスティック４１０がセレクト操作されたときに、カーソル２０１の移動だけ行うよりも、フルモーションの画面の表示や、その他ビープ音などの出力を行ってから、カーソルの移動を行う方が、受信機２において、ジョイスティック４１０がセレクト操作されたことが認識されたということを、ユーザに、より良く認識させることができる。
【０２０４】
以上のように、プレビューが表示された状態で、カーソル２０１が移動していく中で、ユーザは、自身が所望する番組（例えば、後で視聴する番組の候補の１つとしておきたいものや、初期プレビューとして表示させたい番組など）に対応する縮小画面にカーソル２０１が位置したときに、メモリボタン４０２を操作する。この場合、図３２におけるステップＳ２５において、メモリボタン４０２が操作されたと判定され、ステップＳ３１に進み、図３６に示すメモリ処理が行われる。
【０２０５】
即ち、ステップＳ４１において、仮想画面へのデータの書き込みが禁止され、これによりプレビューは静止画像とされる。ここで、このように、プレビューを静止画像とするのは、メモリボタン４０２が操作されたときにカーソル２０１が位置している縮小画面を記憶したということを、ユーザに認識させるための、いわばユーザインターフェイス的フィードバックのためであり、必ずしもプレビューを静止画像とする必要はない。
【０２０６】
その後、ステップＳ４２に進み、静止画とされたプレビューのうちの、カーソル２０１が位置している縮小画面が、仮想フレームメモリ４９の、仮想画面を記憶する領域とは別に確保された領域（以下、適宜、マークフレームという）にコピーされる。即ち、マークフレームに、メモリボタン４０２が操作されたときにカーソル２０１が位置している縮小画面の静止画像（スチル画像）が記憶される。
【０２０７】
ここで、マークフレームは、図３７（Ａ）に示すように、縮小画面と同様の２４０×１６０画素でなる画像を記憶することのできる領域を１単位として、例えば３×３のマトリクス状に区分けされている。メモリボタン４０２が操作されると、そのときにカーソル２０１が位置している縮小画面の静止画像は、マークフレームの、例えば最も左上に記憶され、以下、メモリボタン４０２が操作されるたびに、そのときにカーソル２０１が位置している縮小画面の静止画像が、マークフレームの左から右、そして上から下方向に順次記憶されていくようになされている。即ち、マークフレームは、複数の縮小画面をマトリクス状に配置して記憶するようになされている。
【０２０８】
マークフレームに縮小画面の静止画が記憶された後、仮想画面へのデータの書き込み禁止が解除され、ステップＳ４３に進み、その縮小画面に対応する番組の、例えば番組ＩＤやチャンネルＩＤなどの必要なＥＰＧデータが、ＳＲＡＭ３６から読み出され、例えば図３７（Ｂ）に示すような、仮想フレームメモリ４９の、さらに他の領域（以下、適宜、マークリストという）にコピー（登録）される。ここで、図３７（Ｂ）では、マークフレームとの対応関係が分かり易いように、マークリストを、マークフレームと同様に、マトリクス状の領域として図示してあるが、マークリストは、マトリクス状である必要はない。但し、マークフレームに記憶された縮小画面に対応するＥＰＧデータが、マークリストのどこに記憶されているのかが、ＣＰＵ２９に認識可能なようにしておく必要はある。
【０２０９】
マークリストの登録後、ステップＳ４４に進み、マークフレームに記憶された縮小画面の静止画の数（マークリストに記憶されたＥＰＧデータの数）、即ち番組数が、所定の基準の数（本実施例では、例えばマークフレームに記憶可能な静止画の数としての９（＝３×３）とする）となったか否かが判定される。ステップＳ４４において、マークフレームに記憶された縮小画面の静止画（以下、静止画面という）の数が、所定の基準の数となっていないと判定された場合、メモリ処理を終了し、ステップＳ２２（図３２）に戻る。
【０２１０】
一方、ステップＳ４４において、マークフレームに記憶された静止画面の数が、所定の基準の数となったと判定された場合、即ち、本実施例においては、図３８に示すように、マークフレームに、９個の静止画面が記憶された場合、ステップＳ４５に進み、プレビューに代えて、マークフレームのデータが読み出され、モニタ装置４に表示される。即ち、この場合、ユーザが所望する番組の静止画面のみを３×３のマトリクス状に配列したものが表示される（このように、マークフレームの記憶内容を表示したものを、以下、適宜、フェイバリットプレビューという）。
【０２１１】
以上のように、フェイバリットプレビューの表示がなされた後、所定の時間（例えば、数秒などのユーザが設定可能な任意の時間）が経過すると、ステップＳ４６に進み、図３９に示す選択処理が行われる。即ち、まず最初に、ステップＳ５１において、３×３に静止画面が配列されたフェイバリィットプレビューのうちの、例えば最も左上の静止画面の位置に、カーソル２０１が表示され、ステップＳ５２に進み、カーソル２０１が位置している静止画面が、それに対応する縮小画面（動画）にされる。即ち、いまの場合、図４０に示すように、カーソル２０１は、フェイバリットプレビューの最も右上の静止画面に位置しているが、その静止画面に対応する縮小画面が、仮想画面から転送される。
【０２１２】
さらに、ステップＳ５２では、その縮小画面に対応する番組の音声も出力される。
【０２１３】
その後、ステップＳ５３に進み、ジョイスティック４１０がセレクト操作されたか否かが判定され、セレクト操作されていないと判定された場合、ステップＳ５４に進み、ジョイスティック４１０が方向操作されたか否かが判定される。ステップＳ５４において、ジョイスティック４１０が方向操作されていないと判定された場合、ステップＳ５３に戻る。また、ステップＳ５４において、ジョイスティック４１０が方向操作されたと判定された場合、ステップＳ５５に進み、その方向操作された方向に表示されている静止画面にカーソル２０１が移動される。そして、ステップＳ５６に進み、ステップＳ５２における場合と同様にして、カーソル２０１が位置している静止画面が、それに対応する縮小画面（動画）にされ、さらに、その縮小画面に対応する番組の音声が出力されて、ステップＳ５３に戻る。
【０２１４】
なお、カーソル２０１が移動した画面が静止画面でなく、既に、ステップＳ５２またはＳ５６の処理により縮小画面（動画）とされている場合には、ステップＳ５６の処理はスキップされる。
【０２１５】
従って、カーソル２０１が、フェイバリットプレビューを構成する３×３のすべての画面を指示するように移動されると、フェイバリットプレビューは、すべて動画となる。
【０２１６】
ユーザは、ジョイスティック４１０を方向操作することで、カーソル２０１を、真に視聴を希望する画面（縮小画面）に移動し、その位置で、ジョイスティック４１０をセレクト操作する。この場合、ステップＳ５３において、ジョイスティック５３がセレクト操作されたと判定され、ステップＳ５７に進み、ジョイスティック４１０がセレクト操作されたときにカーソル２０１が位置していた縮小画面に対応するフルモーションの画面が、マークリストに登録されたＥＰＧデータを参照することにより、上述したようにして表示され、処理を終了する。
【０２１７】
我々が雑誌や書籍などを読む場合には、まず大雑把に目を通し、興味を引く記載のあるページにしおりや付箋紙などを挟んでおいて、後から、そのページの詳細を読むという行動をとることが多い。上述のようにして番組の選択を行う方法は、このような行動をメタファーにしている。即ち、ユーザは、視聴を希望する幾つかの番組を、いわばそれにブックマークを付すような感覚で選択し（チャンネルマーキングし）、後で、その中から、真に視聴を希望する番組を、容易かつ迅速に選択することができる。
【０２１８】
さらに、従来の装置には、すべての放送チャンネルを所定の時間ずつ順次受信して表示する（以下、適宜、スキャンするという）ものがあるが、このような装置では、スキャンする順番は、例えば放送チャンネルの昇順あるいはキャリアの周波数の昇順などとされていた。本実施例で説明した装置では、仮想画面を構成する縮小画面の配列を、上述したようにカテゴリごとにしたり、また視聴する頻度の高い順にすることができるので、ブラウズモードにおいて、放送チャンネルの昇順あるいはキャリアの周波数の昇順に、カーソル２０１を移動させることができる他、カーソル２０１をカテゴリ別に移動させたり、また視聴する頻度順に移動させたりすることなどもできる。
【０２１９】
また、本実施例では、プレビューモードおよびブラウズモードのいずれにおいても、ジョイスティック４１０の方向操作により、カーソル２０１を希望する番組の位置に移動し、その後セレクト操作をするという同一の操作で、番組の選択を行うことができるので、即ち、番組の選択を行う場合のユーザインターフェイス（ジョイスティック４１０の操作）の統一が図られているので、シームレスな操作環境を提供することができる。
【０２２０】
なお、本実施例においては、番組選択のために、３×３個の縮小画面を、モニタ装置４に同時に表示するようにしたが、モニタ装置４に同時に表示する縮小画面の数は、これに限られるものではない。すなわち、モニタ装置４には、例えばその解像度その他に対応して、例えば４×４個の縮小画面や、３×２個の縮小画面を同時に表示させることが可能である（但し、１つの縮小画面の大きさは、最低でも、視聴者が見て、番組の内容を理解することのできる程度とする必要がある）。
【０２２１】
さらに、本実施例においては、受信機２とモニタ装置４とを独立した装置とするようにしたが、受信機２とモニタ装置４とは一体に構成することも可能である。
【０２２２】
また、本実施例では、番組選択用のデータとして、通常の番組の画面を縮小した、動画である縮小画面を送信するようにしたが、この他、番組選択用のデータとしては、番組の内容を表す静止画やテキストデータを用いることができる。
【０２２３】
また、本実施例においては、番組選択用のデータを送信するようにしたが、番組選択用のデータは、例えば視聴者側で生成させるようにすることも可能である。すなわち、視聴者側において、受信した通常の番組から縮小画面、あるいはその他の番組の内容を表すデータを生成するようにし、これを番組選択用のデータとして用いることも可能である。
【０２２４】
さらに、本実施例では、画面をスクロールさせることにより、すべての番組選択用のデータを見ることができるようにしたが、この他、例えばページめくりのように画面を切り換えるようにして、すべての番組選択用のデータを見ることができるようにすることも可能である。
【０２２５】
また、本実施例では、マークフレームに縮小画面の静止画（静止画面）を記憶させるようにしたが、マークフレームには、仮想画面から縮小画面を常時転送することにより、縮小画面そのものを記憶させるようにすることも可能である。但し、このようにした場合には、縮小画面は動画であるから、ユーザが、ジョイスティック４１０を操作したときの画面と、フェイバリットプレビューが表示されるときの画面とが異なるものとなることになる。
【０２２６】
さらに、本実施例においては、ブラウズモード時に、複数の縮小画面を一度に表示するようにしたが、その他、フルモーションの画面を、例えばそのチャンネル順や、キャリアの周波数順に表示するようにすることも可能である。
【０２２７】
但し、例えば日本では、いまのところ、ＶＨＦ帯およびＵＨＦ帯の放送チャンネル、さらにはケーブルテレビジョン放送のチャンネルを合わせても、１０数チャンネル程度であり、この程度のチャンネル数であれば、フルモーションの画面を順次表示するようにしても、そのすべてを表示し終えるのにそれほど時間を要しないが、将来、放送の多チャンネル化が進行した場合に、フルモーションの画面を順次表示したのでは多大な時間を要することとなる。
【０２２８】
従って、実施例で説明したように、ブラウズモード時には、複数の縮小画面を一度に表示するようにした方が好ましい。さらに、この場合、ユーザは、他のチャンネルでどのような番組が放送されているかを、いわば総括的に確認することができる。
【０２２９】
また、本実施例では、マークフレームに、所定の基準の数だけの静止画面が記憶されたときに、フェイバリットプレビューを表示するようにしたが、その他、任意のタイミングで（例えば、リモコン５の所定の操作がなされたときなど）、フェイバリットプレビューを表示するようにすることも可能である。
【０２３０】
さらに、マークリストに記憶されたＥＰＧデータは、マークリストの初期化がなされるまで、保持しておくようにすることができる。この場合、電源が再投入されたときに、マークリストを参照して、マークフレームに、仮想画面から縮小画面を転送させ、例えばこれを初期プレビューとして表示させるようにすることにより、ユーザは、新たに、ブラウズモードでの番組の選択、マークフレームへの登録を行わなくても、即座に、所望する番組の選択を行うことが可能となる。
【０２３１】
また、本実施例では、マークフレーム（マークリストについても同様）を、３×３の静止画面の配置が可能なように構成するようにしたが、マークフレームは、その他のｎ×ｍ構成とすることも可能である。
【０２３２】
さらに、本実施例では、マークフレームに記憶した静止画面をすべて一度に表示するようにしたが、例えばマークフレームに、多くの静止画面を配置するようにした場合には、プレビューモードにおける場合と同様に、マークフレームの一部を読み出して表示するようにすることも可能である。
【０２３３】
【発明の効果】
以上の如く、本発明の表示制御装置および表示制御方法によれば、記憶手段に、複数の番組の画面それぞれを縮小した縮小画面を所定数のマトリクス状に配列した仮想的な配列画像を記憶させ、記憶手段に記憶された仮想的な配列画像から所定の選択エリアの複数の縮小画面を読み出し、その複数の縮小画面からなるマルチ画面を表示するようにしたので、番組数が多くても、容易に、所望する番組の内容を確認し、選択することが可能となる。
【図面の簡単な説明】
【図１】本発明において用いられる用語を説明する図である。
【図２】アーカイブ処理を説明する図である。
【図３】本発明を適用した放送システムの一実施例の構成を示す図である。
【図４】アーカイブデータが生成される様子を示す図である。
【図５】縮小画面の配置方法を説明するための図である。
【図６】図３の実施例の一部のより詳細な構成を示す図である。
【図７】通常の番組のデータと、その縮小画面との間に張られるリンクを説明する図である。
【図８】図３の視聴者側の装置の構成例を示すブロック図である。
【図９】視聴者側の装置の接続関係を説明するための図である。
【図１０】図３の受信機２の詳細構成例を示すブロック図である。
【図１１】ベースユニット６００の構成例を示すブロック図である。
【図１２】リモートコマンダ５の構成を示す正面図である。
【図１３】リモートコマンダ５の構成を示す側断面図である。
【図１４】図１２および図１３に示すマイク部７０３Ａの構成を示す図である。
【図１５】リモートコマンダ５の未使用時の状態を表す斜視図である。
【図１６】リモートコマンダ５の使用時の状態を表す斜視図である。
【図１７】ジョイスティック４１０の本体４０５に対する取り付け状態を示す図である。
【図１８】ジョイスティック４１０の構成例を示す斜視図である。
【図１９】レバー１６２の水平面内における操作方向を示す図である。
【図２０】リモートコマンダ５を左手で持った場合におけるジョイスティック４１０の操作を説明する斜視図である。
【図２１】リモートコマンダ５を右手で持った場合におけるジョイスティック４１０の操作を説明する斜視図である。
【図２２】リモートコマンダ５の内部の構成例を示すブロック図である。
【図２３】図１０の実施例の一部の動作を説明する図である。
【図２４】アーカイブデータが分離される様子を示す図である。
【図２５】仮想フレームメモリ４９に、縮小画面がマトリクス状に配置されて記憶された状態を示す図である。
【図２６】モニタ装置４に表示される縮小画面の範囲を示す図である。
【図２７】モニタ装置４に縮小画面が表示された状態を示す図である。
【図２８】リモートコマンダ５がスクロール操作されることにより、モニタ装置４に表示される縮小画面を説明するための図である。
【図２９】リモートコマンダ５の動作を説明するフローチャートである。
【図３０】ＤＴＭＦ信号を説明する図である。
【図３１】リモートコマンダ５の他の構成例を示す図である。
【図３２】動作モードがブラウズモードとされた場合の受信機２の動作を説明するフローチャートである。
【図３３】ブラウズモードにおいて、カーソル２０１が移動される方向を説明するための図である。
【図３４】ブラウズモードにおいて、カーソル２０１が移動される方向を説明するための図である。
【図３５】図３２のステップＳ２３においてジョイスティック４１０がセレクト操作されたと判定された場合のモニタ装置４の表示の変化を説明するための図である。
【図３６】図３２のステップＳ３１のメモリ処理の詳細を説明するためのフローチャートである。
【図３７】マークフレームおよびマークリストを示す図である。
【図３８】マークフレームに９個の静止画面が記憶された状態を示す図である。
【図３９】図３６のステップＳ４６の選択処理の詳細を説明するためのフローチャートである。
【図４０】図３９のステップＳ５２の処理を説明するための図である。
【符号の説明】
２  受信機
２ａ  受信装置
２ｂ  処理装置
２ｃ  記憶装置
３  パラボラアンテナ
４  モニタ装置
５  リモートコマンダ
２０  フロントエンド
２１  チューナ
２２  ＱＰＳＫ復調回路
２３  エラー訂正回路
２４  デマルチプレクサ
２５  マルチチャンネルリアルタイムデコーダ
２６  ＭＰＥＧオーディオデコーダ
２７  ＮＴＳＣエンコーダ
２９  ＣＰＵ
３５  データバッファメモリ
３６  ＳＲＡＭ
３７  ＲＯＭ
３８  ＥＥＰＲＯＭ
４９  仮想フレームメモリ
５１  ディジタル化部
５２  アーカイブ化部
５３  ビデオサーバ
５４  送信部
２０１  カーソル
４０２  コールボタン
４０３  メモリボタン
４０４  クリアボタン
４１０  ジョイスティック
【図１】
0003637584.tif 000002
【図２】
0003637584.tif 000003
【図３】
0003637584.tif 000004
【図４】
0003637584.tif 000005
【図５】
0003637584.tif 000006
【図６】
0003637584.tif 000007
【図７】
0003637584.tif 000008
【図８】
0003637584.tif 000009
【図９】
0003637584.tif 000010
【図１０】
0003637584.tif 000011
【図１１】
0003637584.tif 000012
【図１２】
0003637584.tif 000013
【図１３】
0003637584.tif 000014
【図１４】
0003637584.tif 000015
【図１５】
0003637584.tif 000016
【図１６】
0003637584.tif 000017
【図１７】
0003637584.tif 000018
【図１８】
0003637584.tif 000019
【図１９】
0003637584.tif 000020
【図２０】
0003637584.tif 000021
【図２１】
0003637584.tif 000022
【図２２】
0003637584.tif 000023
【図２３】
0003637584.tif 000024
【図２４】
0003637584.tif 000025
【図２５】
0003637584.tif 000026
【図２６】
0003637584.tif 000027
【図２７】
0003637584.tif 000028
【図２８】
0003637584.tif 000029
【図２９】
0003637584.tif 000030
【図３０】
0003637584.tif 000031
【図３１】
0003637584.tif 000032
【図３２】
0003637584.tif 000033
【図３３】
0003637584.tif 000034
【図３４】
0003637584.tif 000035
【図３５】
0003637584.tif 000036
【図３６】
0003637584.tif 000037
【図３７】
0003637584.tif 000038
【図３８】
0003637584.tif 000039
【図３９】
0003637584.tif 000040
【図４０】
0003637584.tif 000041